(57)【要約】本発明の電子家具アセンブリは、（ｉ）（Ａ）台座（たとえば、シート部分）、（Ｂ）少なくとも１つの横部材（たとえば、側部、肘掛け、または背もたれ）、および（Ｃ）台座を横部材に選択的に結合するためのカプラを含む家具アセンブリと、（ｉｉ）スピーカーに電力を提供するための電気ハブであって、家具アセンブリ内に選択的に存在するように構成されているハブと、（ｉｉｉ）家具アセンブリの１つまたは複数の部分内に取り付けられているスピーカーシステムとを含む。このスピーカーシステムは、台座および横部材内に取り付けられている１つまたは複数のスピーカーを含んで、それらのスピーカーを内部に隠し、家具およびスピーカーの両方のために同じ設置面積を使用して、家庭またはオフィス内のスペースを節約し、ハイファイのサラウンドサウンドシステムを提供する。
2019500985.tif 000002
【特許請求の範囲】
【請求項１】
（ｉ）（Ａ）台座、および
（Ｂ）横部材
を含む組み立て可能な家具アセンブリと、
（ｉｉ）前記家具アセンブリ内に配置されているスピーカーシステムと
を含むオーディオ強化型家具システム。
【請求項２】
前記台座を前記横部材に選択的に結合するためのカプラをさらに含む請求項１に記載の電子家具システム。
【請求項３】
前記スピーカーシステムは、前記家具アセンブリの（ｉ）前記台座または（ｉｉ）前記横部材のうちの少なくとも１つの中に埋め込まれている１つまたは複数のスピーカーを含む請求項１に記載の電子家具システム。
【請求項４】
前記スピーカーシステムは、
前記台座および／または横部材のフレームに結合されているスピーカードライバを含む請求項３に記載の電子家具システム。
【請求項５】
前記横部材および前記台座のうちの少なくとも１つに結合されるように構成されている電気ハブをさらに含む請求項１に記載の電子家具システム。
【請求項６】
前記ハブは、前記横部材の空洞に選択的に取り付けられている請求項５に記載の電子家具システム。
【請求項７】
前記台座を前記横部材に選択的に結合するためのカプラをさらに含み、前記ハブは、前記家具アセンブリ内の前記カプラに隣り合って選択的に取り付けられている請求項６に記載の電子家具システム。
【請求項８】
前記スピーカーシステムは、前記ハブから電力を受け取る請求項７に記載の電子家具システム。
【請求項９】
前記家具アセンブリ内に取り付けられている誘導充電器をさらに含み、前記誘導充電器は、前記電気ハブに電気的に結合されるように構成されている請求項７に記載の電子家具システム。
【請求項１０】
前記スピーカーシステムは、前記台座内に取り付けられているスピーカーと、前記横部材内に取り付けられているスピーカーとを含む請求項１に記載の電子家具システム。
【請求項１１】
前記家具アセンブリは、前記台座の長さＸおよび前記横部材の長さＸ’が互いに等しくなるような構成を有しており、前記台座の前記長さＸは、前記台座の幅プラス前記横部材の幅に等しく、それによってＸ＝Ｘ’＝Ｙ＋Ｚである請求項１に記載の電子家具システム。
【請求項１２】
前記スピーカーシステムは、第１の前向きのスピーカーおよび第２の前向きのスピーカーを含み、それらのそれぞれは、それぞれの横部材のサイドアームに取り付けられている請求項１に記載の家具システム。
【請求項１３】
前記台座および／または横部材の底部表面上に１つまたは複数のライトをさらに含む請求項１に記載の家具システム。
【請求項１４】
前記１つまたは複数のライトは、動きによってアクティブ化される常夜灯である請求項１３に記載の家具システム。
【請求項１５】
サウンド信号を増幅するための増幅器をさらに含み、前記増幅器は、前記台座および横部材内に取り付けられているスピーカーに電子的に結合されるように構成されている請求項１に記載の家具システム。
【請求項１６】
前記家具アセンブリ内に取り付けられている誘導充電器をさらに含む請求項１に記載の家具システム。
【請求項１７】
前記家具アセンブリは、モジュラー家具アセンブリである請求項１に記載の家具システム。
【請求項１８】
前記スピーカーシステムは、２つのフロントスピーカーを含む請求項１に記載の家具システム。
【請求項１９】
前記スピーカーシステムは、２つのフロントスピーカーと、２つのサラウンドスピーカーとを含む請求項１に記載の家具システム。
【請求項２０】
前記スピーカーシステムは、２つの前向きのスピーカーを含む請求項１に記載の家具システム。
【請求項２１】
前記スピーカーシステムは、２つの上向きのスピーカーを含む請求項１に記載の家具システム。
【請求項２２】
前記スピーカーシステムは、２つの前向きのスピーカーと、２つのサラウンドの上向きのスピーカーとを含む請求項１に記載の家具システム。
【請求項２３】
サブウーファースピーカーをさらに含む請求項２１に記載の家具システム。
【請求項２４】
前記スピーカーシステムは、前方に向けられている２つのフロントチャネルスピーカーと、上に向けられている２つのサラウンドチャネルスピーカーとを含む請求項１に記載の家具システム。
【請求項２５】
センターチャネルスピーカーをさらに含む請求項２４に記載の家具システム。
【請求項２６】
サブウーファースピーカーが、前記家具アセンブリの前記台座に取り付けられている請求項１に記載のシステム。
【請求項２７】
２つの前方のスピーカーおよび２つのサラウンドスピーカーが、前記家具アセンブリの前記横部材に取り付けられている請求項１に記載のシステム。
【請求項２８】
前記家具アセンブリの前記台座に取り付けられているサブウーファースピーカーが、下に向いている請求項１に記載のシステム。
【請求項２９】
前記スピーカーシステムをコントロールするための送信機をさらに含む請求項１に記載のシステム。
【請求項３０】
前記送信機は、一体化されたセンターチャネルスピーカーを有する送信機システムを含む請求項２９に記載のシステム。
【請求項３１】
前記スピーカーシステムは、内装布を通して放射されているサウンドを補うように調整される請求項１に記載の家具システム。
【請求項３２】
前記内装布は、約５０グラム／平方メートルから約１５００グラム／平方メートルの範囲の布重量を有している請求項３１に記載の家具システム。
【請求項３３】
前記内装布は、約１００グラム／平方メートルから約１０００グラム／平方メートルの範囲の布重量を有しており、前記布は、前記横部材のフレーム上に取り付けられて、前記スピーカーの少なくとも一部分を覆う請求項３１に記載の家具システム。
【請求項３４】
（ｉ）（Ａ）台座、（Ｂ）少なくとも１つの横部材、および（Ｃ）前記台座を前記横部材に選択的に結合するためのカプラを含む家具アセンブリと、
（ｉｉ）前記家具アセンブリ内に選択的に存在するように構成されている電気ハブと、
（ｉｉｉ）前記家具アセンブリの１つまたは複数の部分内に取り付けられている１つまたは複数のスピーカーを含むスピーカーシステムであって、前記電気ハブは、前記スピーカーシステムのための電力源として作動する、スピーカーシステムと
を含む電子家具システム。
【請求項３５】
前記スピーカーシステムは、前記横部材内に取り付けられている２つのスピーカーと、前記台座内に取り付けられている少なくとも１つのスピーカーとを含む請求項３４に記載の家具システム。
【請求項３６】
前記家具アセンブリは、２つの横部材を含み、前記スピーカーシステムは、前記２つの横部材のそれぞれの中に取り付けられている２つのスピーカーと、前記台座内に取り付けられているサブウーファースピーカーとを含む請求項３４に記載の家具システム。
【請求項３７】
誘導充電器が、前記横部材のフレーム上に取り付けられている請求項３４に記載の家具アセンブリ。
【請求項３８】
オーディオ強化型の組み立て可能な家具を提供するための方法であって、
請求項１に記載の家具アセンブリを提供するステップであって、前記台座は、内部に取り付けられているスピーカーを有しており、前記横部材は、内部に取り付けられているスピーカーを有しており、前記家具アセンブリは、（Ｃ）前記台座を前記横部材に選択的に結合するためのカプラをさらに含む、ステップと、
前記家具アセンブリ内に存在するように構成されている電気ハブを提供するステップであって、前記電気ハブは、前記スピーカーシステムのための電力源として作動する、ステップと、
前記ハブを（ｉ）前記台座または（ｉｉ）前記横部材のうちの１つに結合するステップと、
前記台座を前記横部材に隣り合って置くステップと、
前記台座を前記横部材に結合するステップとを含む方法。
【請求項３９】
（ｉ）モジュラー家具アセンブリと、
（ｉｉ）前記家具アセンブリ内に配置され、それによって視界から隠されるスピーカーシステムと
を含むオーディオ強化型家具システム。
【請求項４０】
オーディオ強化型のモジュラー家具を提供するための方法であって、
請求項３９に記載のモジュラー家具アセンブリを提供するステップであって、前記家具アセンブリは、前記モジュラー家具アセンブリのモジュールどうしをともに選択的に結合するためのカプラをさらに含む、ステップと、
前記家具アセンブリ内に存在するように構成されている電気ハブを提供するステップであって、前記電気ハブは、前記スピーカーシステムのための電力源として作動する、ステップと、
前記ハブを前記モジュラー家具アセンブリのモジュールに結合するステップと、
前記モジュラー家具アセンブリの前記モジュールどうしをともに結合するステップとを含む方法。
【請求項４１】
前記家具システムはベッドを含む請求項３９に記載のシステム。
【請求項４２】
（ｉ）１つまたは複数の取り外し可能なカバーを含む組み立て可能な家具アセンブリであって、前記１つまたは複数の取り外し可能なカバーは、前記家具アセンブリの少なくとも一部分を覆う、組み立て可能な家具アセンブリと、
（ｉｉ）前記家具アセンブリ内に配置されているスピーカーシステムであって、視界から隠されているスピーカーシステムと
を含むオーディオ強化型家具システム。
【請求項４３】
オーディオ強化型のモジュラー家具を提供するための方法であって、
請求項４２に記載の組み立て可能な家具アセンブリを提供するステップであって、前記家具アセンブリは、前記組み立て可能な家具アセンブリの部分どうしをともに選択的に結合するためのカプラをさらに含む、ステップと、
前記家具アセンブリ内に存在するように構成されている電気ハブを提供するステップであって、前記電気ハブは、前記スピーカーシステムのための電力源として作動する、ステップと、
前記ハブを前記組み立て可能な家具アセンブリの一部分に結合するステップと、
前記組み立て可能な家具アセンブリの前記部分どうしをともに結合するステップとを含む方法。
【請求項４４】
前記家具システムはベッドを含む請求項４２に記載のシステム。
【請求項４５】
オーディオ信号および／またはコントロール信号のワイヤレス送信が、ワイヤレススピーカーアンドオーディオテクノロジーを通じることが可能である請求項４２に記載のシステム。
【請求項４６】
前記スピーカーシステムは、前記１つまたは複数のスピーカーを前記家具アセンブリの一部分のフレームに結合するように構成されている１つまたは複数のアームを含み、前記１つまたは複数のアームは、角度を付けられたＬ字型の断面を有しているＬ字型シャフト本体から構成されており、前記シャフト本体は、前記シャフト本体から延びている終端延長部を有しており、前記終端延長部は、前記シャフト本体から横方向に外側へ延びるように角度を付けられており、前記終端延長部は、前記Ｌ字型シャフト本体の脚のうちの１つと同じ平面に延在している請求項４２に記載のシステム。
【発明の詳細な説明】
【技術分野】
【０００１】
本発明は、ビルトイン電子アセンブリ（たとえば、スピーカー）システムを伴う家具の分野である。
【背景技術】
【０００２】
関連出願の相互参照
本出願は、２０１６年１１月１０日に出願されたＥＬＥＣＴＲＯＮＩＣ  ＦＵＲＮＩＴＵＲＥ  ＳＹＳＴＥＭＳ  ＷＩＴＨ  ＩＮＴＥＧＲＡＴＥＤ  ＩＮＴＥＲＮＡＬ  ＳＰＥＡＫＥＲＳと題されている米国特許出願第１５／３４８，０６８号明細書に対する優先権およびその利益を主張するものであり、それは、２０１６年９月２０日に出願されたＥＬＥＣＴＲＩＣＡＬ  ＨＵＢ  ＦＯＲ  ＦＵＲＮＩＴＵＲＥ  ＡＳＳＥＭＢＬＩＥＳと題されている米国特許出願第１５／２７０，３３９号明細書に対する優先権およびその利益を主張するものであり、それは、２０１５年１１月１９日に出願されたＦＵＲＮＩＴＵＲＥ  ＷＩＴＨ  ＥＬＥＣＴＲＯＮＩＣ  ＡＳＳＥＭＢＬＩＥＳと題されている米国特許仮出願第６２／２５７，６２３号明細書に対する優先権およびその利益を主張するものであり、それらのそれぞれは、参照によってそれらの全体が本明細書に組み込まれている。
【０００３】
本出願はまた、２０１６年１１月３日に出願されたＥＬＥＣＴＲＯＮＩＣ  ＦＵＲＮＩＴＵＲＥ  ＳＹＳＴＥＭＳ  ＷＩＴＨ  ＩＮＴＥＧＲＡＴＥＤ  ＩＮＴＥＲＮＡＬ  ＳＰＥＡＫＥＲＳと題されている米国特許仮出願第６２／４１７，０９１号明細書に対する優先権およびその利益を主張するものであり、それは、参照によってその全体が本明細書に組み込まれている。
【０００４】
スピーカーシステムは、家庭、ビジネス、ソーシャルアクティビティー、エンターテイメントのために、および実用的用途、商業用途、および家庭用途のために広く使用されている。残念なことに、スピーカーシステムは、家庭、オフィス、またはビジネス環境において多大なスペースを占め、それらは、たとえ小さくても、しばしば見ばえが悪い。その上、そのようなシステムに関連付けられている配線およびケーブルも、見ばえが悪く、扱いにくい。
【０００５】
家具も、家庭、オフィス、またはビジネス環境において多大なスペースを占める傾向がある。家具に座っているときには、音楽を聴くこと、ＴＶを見ること、もしくはホームシアター環境において映画を見ること、または１つもしくは複数の電子コンポーネントを採用することがしばしば望ましい。現代の家具アセンブリまたはデバイスに関連付けて使用されることが可能である改良された電子アセンブリシステムを伴う改良された家具が必要とされている。
【先行技術文献】
【特許文献】
【０００６】
【特許文献１】米国特許出願第１４／３３２，７０５号明細書
【特許文献２】米国特許第８，７８３，７７８号明細書
【特許文献３】米国特許第７，９６３，６１２号明細書
【特許文献４】米国特許出願第１１／４４９，０７４号明細書（現在の米国特許第７，５４７，０７３号明細書）
【特許文献５】米国特許第７，２１３，８８５号明細書
【特許文献６】米国特許仮出願第６２／３５４，４２６号明細書
【特許文献７】米国特許仮出願第６２／２５７，６２３号明細書
【特許文献８】米国特許出願第１５／２７０，３３９号明細書
【特許文献９】米国特許出願第１５／２７６，５２４号明細書
【特許文献１０】米国特許出願第１５／３４２，８００号明細書
【発明の概要】
【課題を解決するための手段】
【０００７】
本発明は、スペースを節約する家具システムに関し、この家具システムは、一体化された埋め込まれている内蔵スピーカーシステム、内蔵電源、電気デバイス、および個人によって家具に座っている間に便利に使用されることが可能であるその家具に関連付けられているその他の電気コンポーネントを含む関連付けられている電気アセンブリシステムを伴う。
【０００８】
このオーディオ強化型家具システムは、快適に座るための家具と、便利な、スペースを節約するハイファイリスニングのための一体化された内蔵スピーカーと、スピーカーおよびその他の電動オブジェクト、たとえば、電話、コンピュータ、照明システムに電力を提供するための電源と、ユーザが家具に快適に座っている際にそのようなデバイスを再充電するための再充電システムとを便利に提供する。
【０００９】
本発明の１つの電子家具システムは、（ｉ）（Ａ）台座（たとえば、シート部分）、（Ｂ）少なくとも１つの横部材（たとえば、肘掛けまたは背もたれ）、および（Ｃ）台座を横部材に結合するためのカプラを含む家具アセンブリと、（ｉｉ）家具アセンブリ内に選択的に存在するように構成されている電気ハブと、（ｉｉｉ）家具アセンブリの１つまたは複数の部分内に取り付けられているスピーカーシステムとを含む。電気ハブは、スピーカーシステムのための電力源として作動し、たとえば、家具アセンブリの横部材における空洞内に選択的に配置されることが可能である。
【００１０】
一実施形態においては、このスピーカーシステムは、横部材のフレームに取り付けられている１つまたは複数のスピーカーと、台座部材のフレームに取り付けられている１つまたは複数のスピーカーとを含む。スピーカーを台座および横部材内に埋め込むことは、組み合わされた家具およびスピーカーシステムのためのスペースの同じ設置面積を使用して、部屋内の膨大な量のスペースを節約し、その一方でまたスピーカーを隠す。
【００１１】
サブウーファースピーカーが、家具アセンブリの台座内に取り付けられることが可能であり、その一方で、台座に対して台座の対向する両側部に結合されて肘掛けとして作動する横部材が、内部に埋め込まれている１つまたは複数のスピーカーをそれぞれ（たとえば、２つのスピーカーをそれぞれ）含む。組み合わされた台座、横部材、および関連付けられている内蔵スピーカーが、ユーザのためのハイファイサラウンドサウンド経験を形成する。これは、ユーザが家具およびスピーカーを同じ設置面積において使用することを可能にして、部屋内のその他のオブジェクトのための貴重なスペースを節約し、その一方で同時に、ハイファイのリスニング経験を提供する。
【００１２】
サブウーファーは、横部材および／または台座におけるスピーカーの出力を増幅およびコントロールするために、１つもしくは複数の増幅器を含む増幅器アセンブリ、オーディオ受信機、および／またはコントローラを含むことができる。
【００１３】
一実施形態においては、電気ハブは、スピーカーに電力を提供し、（ａ）ハウジングを有する電気コンセントアセンブリと、（ｂ）電気コンセントアセンブリにリンクされて、そこからずらされている固定パネルであって、それによって、電気コンセントアセンブリの少なくとも１つのコンセントが、固定パネルからスペースを空けて離されている、固定パネルと、（ｃ）電気コンセントアセンブリに取り付けられている据え付けクリップとを含む。電気ハブのずらされている固定パネルは、保護エリアを形成し、その中で、１つもしくは複数の電気コード（たとえば、スピーカー、増幅器、オーディオ受信機、コントローラ、またはその他のオブジェクト、たとえば、電話などの電気コード）をコンセントアセンブリに接続する。据え付けクリップは、家具アセンブリの横部材の空洞内に電気ハブを取り付けるために選択的に移動されることが可能である。
【００１４】
本発明の家具システムの例は、（Ａ）台座と、（Ｂ）横部材と、（Ｃ）台座および横部材のうちの１つの中に配置されている少なくとも１つのスピーカーを含むスピーカーシステムとを含む。カプラが、台座を横部材に選択的に結合する。スピーカーシステムは、家具アセンブリの（ｉ）台座または（ｉｉ）横部材のうちの少なくとも１つの中に取り付けられている１つまたは複数のスピーカーを含み、スピーカーシステムは、家具アセンブリ内に取り付けられている少なくとも１つのスピーカーを含む。モジュラーまたは組み立て可能な家具アセンブリにスピーカーを埋め込むことは、スピーカーならびに関連付けられている配線およびケーブルを視界から隠す役割を果たし、家具アセンブリの設置面積によって既に占められているスペースを超えるさらなるスペースをまったく使用することなく、高音質サウンドを提供する。
【００１５】
スピーカーシステムに電力を提供するために、電気ハブは、（ｉ）横部材または（ｉｉ）台座のうちの少なくとも１つに結合されるように構成されている。ハブは、たとえば、横部材の空洞内に選択的に取り付けられることが可能である。ハブは、横部材内でカプラに隣り合って選択的に取り付けられることが可能である。たとえば、携帯電話、コンピュータ、ランプ、および／または、その他の電気デバイスを再充電するために家具アセンブリ内に取り付けられている誘導充電器など、その他のコンポーネントが、電力を受け取るためにハブに接続されることが可能である。
【００１６】
本発明のオーディオ強化型家具システムはしたがって、快適に座るための家具と、便利なリスニングのためのスピーカーと、スピーカーおよびその他の電動オブジェクト、たとえば、電話、コンピュータ、照明システムに電力を提供するための電源と、そのようなデバイスを再充電するための再充電システムとを便利に提供する。
【００１７】
本発明の主要な利点は、本発明において採用されるスピーカーシステムおよび電子アセンブリシステムが、典型的なユーザおよび潜在的な消費者の視界から隠されて、現代の家庭および企業におけるスペースのうちの多くを満たすスピーカーおよび電子部品の見ばえが悪い散らかったイメージのうちのいくつかを回避することである。
【００１８】
台座部材および横部材内に提供される家具空洞は、内部に取り付けられるスピーカーのサウンドを強化することができる。したがってユーザは、本発明の台座および横部材を使用して良質のサウンドおよび音楽経験を経験することができる。スピーカーは、台座および／または横部材内に埋め込まれているスピーカーを覆っている布を通して放射されているサウンドを補うために調整される。
【００１９】
本発明の１つの主要な利点は、本発明の台座および横部材内にスピーカーを隠すことである。これは、家具に関してスピーカーが通常占めるであろうスペースを使用することによって、家庭、企業、オフィス、またはその他のロケーション内での多大なスペースの節約および美観を可能にする。したがって、本発明のソファーは、広範なスペース効率を提供する。スピーカーは、家庭用の装飾布の後ろに隠されることが可能である。そのような布は、音響的に透過性ではないことが可能である。放射されたサウンドが布の界面を通って延びるという事実を補うために、スピーカーによって放射される所与の周波数が調整されて、サウンドを、それが布の層を通って延びる際に最適化する。
【００２０】
本発明のスピーカーシステムは、カウチにおいて、椅子において、ユニット式家具システムにおいて、ならびに、リクライニング、シート、足置き台、および非常にさまざまな構成などのさまざまな異なるコンポーネントを有するユニット式家具システムにおいて使用されることが可能である。
【００２１】
本発明のこれらのおよびその他の目的および特徴は、以降の記述および添付の特許請求の範囲からさらに完全に明らかになり、または以降で示されているような本発明の実施によって知られることが可能である。
【００２２】
本発明の上述のおよびその他の利点および特徴をさらに明らかにするために、本発明のさらに具体的な記述が、添付の図面において示されているその特定の実施形態への参照によって提供される。これらの図面は、本発明の例示されている実施形態を示しているにすぎず、したがってその範囲の限定とみなされるべきではないということが理解される。本発明は、添付の図面の使用を通じて、さらなる具体性および詳細を伴って記述および説明される。
【図面の簡単な説明】
【００２３】
【図１Ａ】図１Ａは、本発明のサラウンドサウンドチェアの形態のモジュラー家具アセンブリの斜視図であり、その横部材内にオーディオスピーカーを有してサラウンドサウンドスピーカーシステムを形成しており、それらのスピーカーの位置および配向が、横部材内にかくれ線で示されている。
【図１Ｂ】図１Ｂは、椅子形態の図１Ａのモジュラー家具アセンブリの斜視図であり、このサラウンドサウンドチェアはまた、その台座内にサブウーファースピーカーを有しており、そのサブウーファースピーカーは、台座内にかくれ線で示されている。
【図２】図２は、椅子のハブに電気的に結合されている隣り合ったランプを伴う図１Ａ〜図１Ｂのサラウンドサウンドチェアの実施形態を示す図である。
【図３】図３は、図１Ａ〜図１Ｂにおけるようなサラウンドサウンドスピーカーシステムを有している椅子であり、そこからクッションが外されており、台座の切断図が示されている。
【図４Ａ】図４Ａは、本発明のモジュラー家具アセンブリを示す図である。
【図４Ｂ】図４Ｂは、本発明のモジュラー家具アセンブリを示す図である。
【図５】図５は、図２Ａ〜図２Ｂのモジュラー家具アセンブリを、そのモジュラー家具アセンブリ内に取り付けられるように構成されている電気ハブに接続している特定の電子アセンブリを付け加えて、分解図で示す図である。
【図６】図６は、本発明のハブに内蔵され接続されている特定の電子コンポーネントの局部透視図を含む、本発明の横部材の斜視図である。隣り合った横部材も示されている。
【図７】図７は、横部材と、その横部材内に取り付けられているハブとの斜視図であり、そのハブに電気的に結合されているランプを含む。
【図８Ａ】図８Ａは、本発明の図１Ａ〜図１Ｂの椅子のスピーカー内蔵台座を、その台座のフレーム内に取り付けられるサブウーファースピーカーシステムとともに示す図である。
【図８Ｂ】図８Ｂは、本発明の図１Ａ〜図１Ｂの椅子のスピーカー内蔵台座を、その台座のフレーム内に取り付けられるサブウーファースピーカーシステムとともに示す図である。
【図８Ｃ】図８Ｃは、本発明の図１Ａ〜図１Ｂの椅子のスピーカー内蔵台座を、その台座のフレーム内に取り付けられるサブウーファースピーカーシステムとともに示す図である。
【図８Ｄ】図８Ｄは、本発明の図１Ａ〜図１Ｂの椅子のスピーカー内蔵台座を、その台座のフレーム内に取り付けられるサブウーファースピーカーシステムとともに示す図である。
【図８Ｅ】図８Ｅは、本発明の図１Ａ〜図１Ｂの椅子のスピーカー内蔵台座を、その台座のフレーム内に取り付けられるサブウーファースピーカーシステムとともに示す図である。
【図８Ｆ】図８Ｆは、本発明の図１Ａ〜図１Ｂの椅子のスピーカー内蔵台座を、その台座のフレーム内に取り付けられるサブウーファースピーカーシステムとともに示す図である。台座のコンポーネントに関連付けられている外側および内側カバーならびに足部部材が、図８Ｆにおいて示されている。
【図８Ｇ】図８Ｇは、本発明の図１Ａ〜図１Ｂの椅子のスピーカー内蔵台座を、その台座のフレーム内に取り付けられるサブウーファースピーカーシステムとともに示す図である。
【図８Ｈ】図８Ｈは、本発明の図１Ａ〜図１Ｂの椅子のスピーカー内蔵台座を、その台座のフレーム内に取り付けられるサブウーファースピーカーシステムとともに示す図である。
【図９Ａ】図９Ａは、本発明の図１Ａから図３の横部材と、その横部材のフレーム内に取り付けられているスピーカーシステムとを示す図である。横部材内に選択的に取り付けられる電気ハブ１００が、横部材内に取り付けられて示されている。
【図９Ｂ】図９Ｂは、本発明の図１Ａから図３の横部材と、その横部材のフレーム内に取り付けられているスピーカーシステムとを示す図である。横部材内に選択的に取り付けられる電気ハブ１００が、横部材内に取り付けられて示されている。
【図９Ｃ】図９Ｃは、本発明の図１Ａから図３の横部材と、その横部材のフレーム内に取り付けられているスピーカーシステムとを示す図である。
【図９Ｄ】図９Ｄは、本発明の図１Ａから図３の横部材と、その横部材のフレーム内に取り付けられているスピーカーシステムとを示す図である。
【図１０】図１０は、代替のスピーカー内蔵横部材の断面図を示しており、スピーカーは、図９Ａ〜図９Ｄの横部材とは異なるロケーションにある。
【図１１】図１１は、代替のスピーカーロケーションを伴う代替の横部材を示す図である。
【図１２】図１２は、代替のスピーカーロケーションを伴う代替の横部材を示す図である。
【図１３Ａ】図１３Ａは、図１ａのソファーと同様のソファーの斜視図であり、そのソファーは、その横部材（肘掛け）内のオーディオスピーカーと、その台座内のサブウーファースピーカーとを伴って、サラウンドサウンドスピーカーシステムを形成しており、それらのスピーカーは、かくれ線で示されている。
【図１３Ｂ】図１３Ｂは、図１ａのソファーと同様のソファーの斜視図であり、そのソファーは、その横部材（肘掛け）内のオーディオスピーカーと、その台座内のサブウーファースピーカーとを伴って、サラウンドサウンドスピーカーシステムを形成しており、それらのスピーカーは、かくれ線で示されている。
【図１４】図１４は、図１３Ａ〜図１３Ｂのソファーと同様のソファーを示す図である。このソファーは、常夜灯モーションセンサを有している。
【図１５】図１５は、図１４のソファーに関する配線図の例を示す図である。
【図１５Ａ】図１５Ａは、図１５の配線図の別のバージョンであり、その配線図において識別されている特定の要素に関する文字記述を伴っている。
【図１６】図１６は、本発明のコントローラまたは送信機の斜視図である。
【図１７】図１７は、スピーカー（たとえば、センターチャネルスピーカー）を有している本発明の壁面取り付け可能なコントローラまたは送信機の例を示す図である。
【発明を実施するための形態】
【００２４】
図１〜図３：サラウンドサウンドスピーカーを伴うモジュラー家具システム
図１Ａは、本発明の椅子の形態のモジュラー家具アセンブリの斜視図であり、その横部材内にオーディオスピーカーが埋め込まれてサラウンドサウンドスピーカーシステムを形成しており、それらのスピーカーは、横部材内にかくれ線で示されている。
【００２５】
図１Ｂは、椅子の形態の図１Ａのモジュラー家具アセンブリの斜視図であり、この椅子はまた、その台座内にサブウーファースピーカーを有しており、そのサブウーファースピーカーは、台座内にかくれ線で示されている。
【００２６】
図１Ａおよび図１Ｂにおいて示されているように、本発明は、スピーカー内蔵横部材１４ａおよびスピーカー非内蔵横部材１４に選択的に結合されるスピーカー内蔵台座部材１２ａを含む、オーディオ強化型モジュラー家具システム２００に関する。スピーカー内蔵台座部材１２ａと、スピーカー内蔵横部材１４ａおよび横部材１４とは、図１Ａおよび図１Ｂにおいて示されているように互いに接続される。
【００２７】
オーディオ強化型モジュラー家具システム２００は、有利には、内部に配置されている１つまたは複数のスピーカーを含み、図１Ａ〜図１Ｂにおいて示されているように、それぞれの肘掛け横部材１４ａ内のスピーカーのセットと、台座１２ａ内のサブウーファー２１０とを有する。
【００２８】
図１Ａ〜図１Ｂの実施形態においては、家具システム２００は、一体化された内蔵サブウーファー２１０ａと、４つの一体化された内蔵非サブウーファースピーカー２１２ａ〜ｂ、２１４ａ〜ｂとを含む。非サブウーファースピーカー２１２ａ〜ｂ、２１４ａ〜ｂは、図１Ａにおいて示されているように、２つのフロントスピーカー２１２ａ〜ｂと、図１Ａの実施形態においては上に向けられている２つのサラウンドリアスピーカー２１４ａ〜ｂとを含む。サブウーファー２１０ａは、低い周波数のサウンド（たとえば、約２０Ｈｚから約１２０Ｈｚまで、約１００Ｈｚまで、または約８０Ｈｚまで）を取り扱うことができ、その一方でフロントスピーカー２１２ａ〜ｂおよびリアスピーカー２１４ａ〜ｂは、より高い周波数（たとえば、サブウーファーのカットオフ周波数から約２０ｋＨｚまで）を取り扱うことができる。スピーカーのうちのいずれも、コーンドライバ、ドームドライバ、リボンドライバ、ホーンドライバ、その他の任意のドライバ構成、またはドライバどうしの組合せを含むことができる。
【００２９】
図１Ａおよび図１Ｂにおいて示されているように、内部にスピーカー２１０ａ〜２１４ｂを有しているシステム２００の設置面積は、内部にスピーカーを有していないモジュラー家具アセンブリの設置面積と同じ数学的仕様を有する。したがって、システム２００内でのスピーカーの追加は、家庭またはオフィスにいかなる追加のスペース要件も付け足さない。加えて、スピーカーに典型的に関連付けられている配線および／またはケーブルも、家具アセンブリそのものの中に隠され、非常にすっきりした美的に望ましい外観を提示し、その一方で同時に、高音質のステレオ、サラウンド、またはその他のサウンド再生を提供する。
【００３０】
それどころか、家具システム２００内に取り付けられるスピーカーの使用は、家具を効率よく使用し、高音質のハイファイなリスニング経験をユーザに提供する。それらのスピーカーは、横部材１４ａの特定の個々の部分内および台座１２ａ内に隠され、それによってスペースの効率的な使用を可能にする。
【００３１】
図１Ａ〜図１Ｂの示されている実施形態においては、スピーカー２１２ａおよびスピーカー２１２ｂは、横部材１４ａの前向きの表面内に取り付けられて示されている。本明細書においてさらに詳細に論じられているように、一実施形態においては、スピーカー２１２ａおよびスピーカー２１２ｂのそのような前向きの配置は、前向きのスピーカー２１２ａおよびスピーカー２１２ｂからの前に向けられているサウンドの反射を補助する前壁、フラットスクリーンテレビジョン、またはその他の表面とともに機能し、そのサウンドは、家具アセンブリ２００に座っているユーザへ反射されて戻り、その反射されたサウンドは潜在的に、反射されたサウンドの利点を有しており、それらの利点は、いくつかの実施形態においては、改善されたサウンド品質を含むことができる。たとえば、座っているユーザへ反射されて戻るサウンドは、座っているユーザの前に実際に配置されているフロントスピーカーから来るサウンドを模倣することができる。
【００３２】
台座１２ａ内のサブウーファーアセンブリは、台座１２ａのフレームの内側に隠されており、したがってシートクッション１８の下にある。
【００３３】
図２は、椅子内に内蔵されている内蔵電気ハブに電気的に結合されている隣り合ったランプを伴う図１Ａ〜図１Ｂの家具システム２００のサラウンドサウンドチェアの実施形態を示している。内蔵電気ハブ１００の詳細は、図５〜図７に関連してさらに論じられる。
【００３４】
図３は、図１Ａ〜図１Ｂにおけるようなサラウンドサウンドスピーカーシステムを有している椅子の形態の家具システム２００であり、そこからクッションが外されており、台座１２ａの断面図が示されている。
【００３５】
図３は、図１Ａ〜図１Ｂおよび図２の家具システム２００のサラウンドサウンドチェアの分解図を示しており、（１）横部材１４、１４ａを台座１２ａに結合する選択的取り付け用カプラ１５、（２）家具システム２００内に内蔵されて電力源を提供する一体型電気ハブ１００、ならびに（３）台座１２ａのクッションアセンブリおよび一体型内蔵スピーカーアセンブリを含む台座１２ａの細部の使用を示している。
【００３６】
オーディオ強化型モジュラー家具システム２００は、図４Ａ〜図４Ｂの台座１２および横部材１３と同様である台座１２ａおよび横部材１４ａを有している。台座１２ａは、図４Ａ〜図４Ｂにおいて示されている台座１２および横部材１４の様式と同じまたは同様の様式で横部材１４ａおよび１４に接続しており、これが次いで論じられる。
【００３７】
図４〜図７：結合および電力
図３において示されているコンポーネントのうちのそれぞれのさらなる詳細が、図４Ａ〜図４Ｂ、図５〜図７、および図８Ａ〜図８Ｈを参照しながらさらに詳細に論じられる。たとえば、図４Ａ〜図４Ｂは、カプラ１５の使用および横部材１４への台座１２の結合に関連しているさらなる詳細を示している。図５は、カプラ１５に関連しているさらなる詳細、ならびに電気ハブ１００に関連している詳細を示しており、電気ハブ１００は、図５において示されているモジュラー家具アセンブリに座っているユーザによって便利に使用されることが可能であるスピーカーおよびその他の電動デバイス、たとえば、電話、コンピュータ、ランプ、再充電システム、およびその他の電気デバイスのための電力源として作動する。図６は、横部材１４内での電気ハブ１００の結合、ならびにスピーカー１７０に給電するための電気ハブ１００と、たとえば、横部材１４が肘掛けとして使用されているときに横部材１４の上または中に置かれる電気デバイス、たとえば電話などをワイヤレスに充電するために使用されることが可能である誘導充電器１７２との有利な使用を示している。図７は、ランプに給電するためのハブ１００の使用を示している。図８Ａ〜図８Ｈは、台座１２ａ内に結合されているスピーカーシステムの一実施形態を示している。図９Ａ〜図１２は、横部材１４ａ内のスピーカーシステムの実施形態を示している。
【００３８】
本発明のモジュラー家具アセンブリのコンポーネントと、モジュラー家具アセンブリ内の電力システムとの結合が、次いで図４Ａ〜図７を詳細に参照しながら論じられる。カプラ１５を使用する結合の原理、および電力を提供するためのハブ１００の使用が、スピーカー内蔵台座１２ａおよび横部材１４ａとともに、ならびに／またはスピーカー非内蔵台座および横部材とともに採用されることが可能である。
【００３９】
図４Ａ〜図４Ｂ：モジュラー家具の構成および結合
図４Ａ〜図４Ｂは、本発明のモジュラー家具アセンブリ１０を示している。図４Ａ〜図４Ｂのモジュラー家具アセンブリ１０は、台座１２および横部材１４の構成、ならびに台座１２および横部材１４の互いに対する結合を示している。台座１２が横部材１４に隣接して置かれると、カプラ１５が、台座１２を横部材１４に選択的に結合する。カプラ１５は、スピーカー内蔵台座１２ａをスピーカー内蔵横部材１４に結合するために使用されることも可能である。
【００４０】
一実施形態においては、図４Ａ〜図４Ｂの台座１２も横部材１４も、スピーカー、電気ハブ、またはその他の電気コンポーネントを内部に有しておらず、その一方で、別の実施形態においては、図４Ａ〜図４Ｂの台座１２および横部材１４はそれぞれ、１つまたは複数のスピーカー、電気ハブ、またはその他の電気コンポーネントを内部に有することができる。図４Ａ〜図４Ｂは、スピーカー非内蔵台座／横部材の組合せまたはスピーカー内蔵台座／横部材の組合せを結合するためのカプラ１５の使用を例示するために示されている。
【００４１】
図４Ａ〜図４Ｂにおいて示されているように、モジュラー家具アセンブリ１０のうちのそれぞれは、その台座１２上に、ユーザによって座るためのシートクッション１８を有する。加えて、横部材１４の底部分と台座１２とを互いに結合するための足部カプラ３４が示されている。
【００４２】
モジュラー家具アセンブリ１０と、それらの互いに対する、および横部材１４に対する接続とに関連しているさらなる論考および開示が、下記の特許および特許出願において示され論じられており、それらのそれぞれは、参照によって本明細書に組み込まれている。（ｉ）２０１４年７月１６日に出願されたＭＯＵＮＴＩＮＧ  ＰＬＡＴＦＯＲＭ  ＦＯＲ  ＭＯＤＵＬＡＲ  ＦＵＲＮＩＴＵＲＥ  ＡＳＳＥＭＢＬＹと題されている特許文献１、（ｉｉ）ＭＯＵＮＴＩＮＧ  ＰＬＡＴＦＯＲＭ  ＦＯＲ  ＭＯＤＵＬＡＲ  ＦＵＲＮＩＴＵＲＥ  ＡＳＳＥＭＢＬＹと題されている特許文献２、（ｉｉｉ）ＭＯＤＵＬＡＲ  ＦＵＲＮＩＴＵＲＥ  ＡＳＳＥＭＢＬＹと題されている特許文献３、（ｉｖ）２００６年６月８日に出願されたＭＯＤＵＬＡＲ  ＦＵＲＮＩＴＵＲＥ  ＡＳＳＥＭＢＬＹと題されている特許文献４、（ｖ）ＭＯＤＵＬＡＲ  ＦＵＲＮＩＴＵＲＥ  ＡＳＳＥＭＢＬＹと題されている特許文献５、（ｖｉ）２０１６年６月２４日に出願されたＭＯＤＵＬＡＲ  ＦＵＲＮＩＴＵＲＥ  ＡＳＳＥＭＢＬＹ  ＣＯＲＮＥＲ  ＳＥＡＴＩＮＧ  ＳＹＳＴＥＭと題されている特許文献６、（ｖｉｉ）２０１５年１１月１９日に出願されたＦＵＲＮＩＴＵＲＥ  ＷＩＴＨ  ＥＬＥＣＴＲＯＮＩＣ  ＡＳＳＥＭＢＬＩＥＳと題されている特許文献７、（ｖｉｉｉ）２０１６年９月２０日に出願されたＥＬＥＣＴＲＩＣＡＬ  ＨＵＢ  ＦＯＲ  ＦＵＲＮＩＴＵＲＥ  ＡＳＳＥＭＢＬＩＥＳと題されている特許文献８、（ｉｘ）２０１６年９月２６日に出願されたＭｏｄｕｌａｒ  Ｆｕｒｎｉｔｕｒｅ  Ａｓｓｅｍｂｌｙ  Ｃｏｒｎｅｒ  Ｓｅａｔｉｎｇ  Ｓｙｓｔｅｍと題されている特許文献９、および（ｘ）２０１６年１１月３日に出願されたＦｕｒｎｉｔｕｒｅ  Ｓｙｓｔｅｍ  ｗｉｔｈ  Ｒｅｃｌｉｎｅｒ  Ａｓｓｅｍｂｌｙと題されている特許文献１０、これらのそれぞれは、参照によって本明細書に組み込まれている。
【００４３】
本発明の台座および横部材は、１つまたは複数のカバー（たとえば、内側カバーおよび外側カバー）を含むことができる。そのようなカバーは、さまざまな利点を有しており、たとえば外側カバーは、便利に取り外し可能であり、それによってユーザは、それらのカバーを取り外し、それらを洗い、それらを所望に応じてその他のカバーと取り替えることができる。一実施形態においては、本発明において使用されるスピーカーは周波数調整され、それによって、内側および／または外側の取り外し可能なカバーを通じて放射される高音質サウンドがある。
【００４４】
図５：モジュラー家具のための電力ハブ
図５は、図４Ａ〜図４Ｂのモジュラー家具アセンブリを、そのモジュラー家具アセンブリ内に取り付けられるように構成されている電気ハブに接続している特定の電子アセンブリを付け加えて分解図で示している。
【００４５】
図５のハブ１００は、家具システム２００のスピーカーおよびその他の電気コンポーネントに電力を提供するために使用される。家具アセンブリ１０の台座１２は、家具アセンブリ１０の第１および第２の横部材１４に選択的に結合され、第２の横部材は、図５において部分図で示されている。
【００４６】
それぞれの横部材１４は、その中央下側部分に空洞２６を有している。Ｕ字型カプラ１５が、台座１２の上側部分を横部材１４の中央下側部分に選択的に結合する。足部カプラ３４が、台座１２のそれぞれの足部を横部材１４のそれぞれの足部に選択的に結合する。足部カプラ３４は、内部に開口を有しており、それらの開口は、それぞれの隣り合った台座および横部材の足部を受けて、それらを互いに結合する。
【００４７】
一実施形態においては、カプラ３４などの足部カプラは、美的な連続性のために、および／または台座のすべての４つのコーナーの水平な表面を提供するために、横部材に隣り合っていない台座またはその他の台座の足部の下に置かれることが可能である。家具アセンブリ１０は、たとえば、図５において示されているように組み立てられることが可能であるモジュラー家具アセンブリである。
【００４８】
図５において示されているように、Ｕ字型カプラ１５は、Ｕ字型カプラ１５の１つのプレートを台座１２のフレームにおける開口３２内に、およびＵ字型カプラ１５の別のプレートを、横部材１４の空洞２６内にある横部材１４のフレームにおける開口３３（図７を参照されたい）内に置くことによって台座１２の一部分を横部材１４の一部分に選択的に接続し、それによって台座１２を横部材１４に選択的に結合する。図５における部分図において示されている第２の横部材１４、および／またはさらなる横部材１４が、同様に、またはまったく同じ様式で台座１２に選択的に結合されることが可能である。
【００４９】
台座１２は、シート部材として、および／またはシート部材として使用されることになるクッション１８を受けるために使用され、その一方で横部材１４は、背もたれおよび／または肘掛けとして使用されることが可能である。参照によって本明細書に組み込まれている特許および特許出願において論じられ示されているように、台座、横部材、ならびにＵ字型カプラおよび足部カプラのさまざまな組合せが、さまざまな数で使用されて、本発明のさまざまな異なる家具アセンブリを作成することが可能である。
【００５０】
電気ハブ１００も、図５における分解図において示されており、電気ハブ１００は、横部材１４の空洞２６内に選択的に取り付けられており、電気ハブ１００の一部分が、台座１２の一部分と横部材１４の一部分との間に選択的に挟まれており、それによってハブ１００を家具アセンブリ１０内の便利な安定した位置に保持している。ハブ１００は、電気デバイス２０、２２、および２４のための便利な電源として作動する。本明細書においてさらに詳細に記述されているように、ハブ１００は、スピーカーおよび／またはその他のオーディオコンポーネント（たとえば、オーディオ受信機）に電力を提供することもできる。
【００５１】
図４Ｂのクッション１８が、図５の台座１２および隣り合った横部材１４上に置かれた場合には、ハブ１００は、家具アセンブリ１０の後ろから壁の電気コンセント１９へと延びる電気コード１１０の部分を除いて、ユーザには見えない。たとえば、図３のクッション１８が、台座１２ａおよび隣り合った横部材１４ａ上に置かれた場合には、ハブ１００は、図２において示されているように、ユーザには見えない。
【００５２】
図５の電子家具アセンブリはしたがって、（ｉ）（Ａ）台座１２、（Ｂ）横部材１４、および（Ｃ）台座１２を横部材１４に結合するためのカプラ１５を含む家具アセンブリ１０と、（ｉｉ）家具アセンブリ１０内に選択的に存在するように構成されている図５において示されている電気ハブ１００とを含む。図１Ａ、図１Ｂ、および図２において示されているように、電気ハブ１００は、結果として生じる図１Ａ、図１Ｂ、および図２の電子家具アセンブリが、家具アセンブリ１０に座っている間に使用されるすべての電話、コンピュータ、およびその他の付属品などの個人的な物品を便利に受けて、それらのための電力源として作動することを可能にする。ハブ１００を通じて利用可能な電力は、通常の使用中に（たとえば、クッション１８が所定の位置にある状態で）、スピーカー、ハブ１００、およびそれらに関連付けられているあらゆる配線／ケーブルさえもが視界から隠されている様式で家具アセンブリ内に埋め込まれているスピーカーおよびその他のオーディオコンポーネントに給電するために使用されることも可能である。
【００５３】
電気ハブ１００は、１つまたは複数の電気コンセントを含む。ハブ１００は、家具アセンブリ１０内に選択的に一体化されるように構成されている。１つまたは複数の電気ハブ１００は、ＭＯＵＮＴＩＮＧ  ＰＬＡＴＦＯＲＭ  ＦＯＲ  ＭＯＤＵＬＡＲ  ＦＵＲＮＩＴＵＲＥ  ＡＳＳＥＭＢＬＹと題されている特許文献２、および（ｖｉｉ）２０１５年１１月１９日に出願された「Ｆｕｒｎｉｔｕｒｅ  ｗｉｔｈ  Ｅｌｅｃｔｒｏｎｉｃ  Ａｓｓｅｍｂｌｉｅｓ」と題されている特許文献７（これらのそれぞれは、参照によって本明細書に組み込まれている）において開示されている家具アセンブリなど、１つまたは複数の横部材１４を有しているさまざまなその他の家具アセンブリ内に選択的に一体化されるように構成されている。本明細書において記述されている電気ハブ１００は、上述の特許および出願において開示されている横部材空洞と連通するように適合している。
【００５４】
ハブ１００は、ＭＯＤＵＬＡＲ  ＦＵＲＮＩＴＵＲＥ  ＡＳＳＥＭＢＬＹと題されている特許文献５において開示されている家具アセンブリの横部材内で便利に使用されることが可能であり、その家具アセンブリは、参照によって本明細書に組み込まれているＭＯＤＵＬＡＲ  ＦＵＲＮＩＴＵＲＥ  ＡＳＳＥＭＢＬＹと題されている特許文献５において開示されているように、台座の長さＸおよび横部材の長さＸ’が互いに等しくなるような構成を有しており、台座の長さＸは、台座の幅および横部材の幅に等しく、それによってＸ＝Ｙ＋ＺおよびＸ＝Ｘ’である。
【００５５】
本明細書において提供されている図面は、モジュラー家具と接続した使用におけるハブ１００を示している。しかしながらハブ１００は、（ｉ）固定された構成可能でない家具、（ｉｉ）消費者によって組み立てられる家具（「組み立て可能な家具」として知られている）、およびさまざまな異なる構成へと構成されることが可能である家具（「モジュラー家具」として知られている）を含むさまざまなタイプの家具と接続して便利に使用される。組み立て可能な家具は、（ｉ）さまざまな異なる構成へと構成されることが可能であるモジュラー家具、および（ｉｉ）単一の構成へと組み立てられることのみが可能である家具を含む。ハブ１００は、（ｉ）固定された構成可能でない家具、（ｉｉ）組み立て可能なモジュラー家具、および（ｉｉｉ）組み立て可能な非モジュラー家具を含むさまざまなタイプの家具と接続して便利に使用される。
【００５６】
図５は、２つの横部材１４と、台座部材１２とを含む家具アセンブリ１０を示しているが、その他の実施形態においては、上述の特許および出願において開示されているもの、ハブ１００が、そのようなアセンブリの横部材１４のうちの少なくとも１つの中に部分的に配置されるように構成されていることなど、１つまたは複数のハブ１００が、横部材１４および台座部材１２のその他の組合せで使用されることが可能である。クッション１８は、上に配置された場合には、ハブ１００を視界から隠す。複数のモバイル、コンピューティング、および／またはその他の電子デバイス２０、２２、２４が、クッション１８の後ろの横部材１４内に少なくとも部分的に存在するハブ１００へプラグを差し込まれている。
【００５７】
図５は、ハブ１００に電気的に接続されているモバイル電話２０、スピーカー２２、およびラップトップコンピュータ２４を示している。ハブ１００へプラグを差し込まれることが可能であるその他の電気デバイスは、家具アセンブリ１０を使用しているユーザによる使用のためのテーブルランプ、誘導充電器、カウチランプおよび／またはチェアランプ、リーディングランプおよび／またはフロアランプ、モバイルコンピューティングデバイス、スピーカー、ステレオシステム、掃除機、ヒータ、ファン、電気毛布などを含むことができるが、それらには限定されない。
【００５８】
図５はまた、壁コンセント１９へプラグを差し込まれているハブ電気コード１１０を示している。ハブ電気コード１１０は、電力をハブ１００に提供し、ハブ１００は次いで、ハブ１００へプラグを差し込まれているかまたはその他の形で接続されている１つまたは複数の電子デバイス２０、２２、２４に電力を提供する。この方法においては、電子デバイス２０、２２、２４は、視覚的に心地よい便利な方法でハブ１００を介して給電される。たとえば、ハブ１００の電気コンセント、およびハブ１００への電気デバイスの接続は典型的に、ユーザがカウチに座っているときにはユーザによって、またはクッションが台座１２上にあるときには部屋の中の他者によって見られることはない。ハブ電気コード１１０はしたがって、単一の電源から複数の電子デバイス２０、２２、２４に電力を提供する。示されている家具アセンブリ１０に座っているかまたはその他の形でそれを使用している人は、自分の電子デバイス２０、２２、２４が、家具アセンブリ１０とは別個の複数の電気コードまたはその他のテーブルタップに対する必要性を伴わずにハブ１００を通じて給電されている間に、それらへのアクセスを有する。
【００５９】
図５において示されているように、一実施形態においては、電気ハブ１００は、（ａ）電気コンセントアセンブリ１０２、（ｂ）固定パネル１０４（固定パネル１０４の後面が、電気コンセントアセンブリ１０２にリンクされており、それによって、電気コンセントアセンブリ１０２の少なくとも１つのコンセントが、固定パネル１０４からスペースを空けて離されてずらされている）、および（ｃ）電気コンセントアセンブリ１０２に取り付けられている据え付けクリップ１０６を含み、据え付けクリップ１０６は、電気コンセントアセンブリ１０２に対して移動可能であり、据え付けクリップ１０６は、延ばされた位置を有しており、ハブを空洞２６内に移動させることが望まれる場合には、縮められた位置へ移動されることが可能である。電気コンセントアセンブリ１０２は、電気コード１１０と、コード１１０と電気通信状態にある少なくとも１つの電気コンセントとを含む。
【００６０】
据え付けクリップ１０６の自由端は、アセンブリに対して移動可能であり、その他のいかなる力も存在しなければ通常は、延ばされた位置にあるように構成されており、家具アセンブリ１０内に電気ハブ１００を取り付けるために、延ばされた位置から、縮められた位置へ、ユーザによって選択的に移動される。クリップ１０６はさらに、家具アセンブリから電気ハブ１００を取り外すために、延ばされた位置から、縮められた位置へ、ユーザによって選択的に移動されるように構成されている。ハブ１００は、図５において示されているように、家具アセンブリと隣り合った１つまたは複数の電気デバイス２０、２２、２４のための電力源を提供するために家具アセンブリ１００内に選択的に取り付けられるように構成されている。
【００６１】
ハブ１００に関するさらなる情報は、２０１６年９月２０日に出願された「Ｅｌｅｃｔｒｉｃａｌ  Ｈｕｂ  ｆｏｒ  Ｆｕｒｎｉｔｕｒｅ  Ａｓｓｅｍｂｌｉｅｓ」と題されている特許文献８において開示されており、特許文献８は、参照によって本明細書に組み込まれている。
【００６２】
図６〜図７：電気ハブ１００に結合されている電気コンポーネント
図６は、本発明のハブに接続されている特定の電子コンポーネントの局部透視図を含む、本発明の横部材の斜視図である。任意選択の隣り合った横部材も示されている。
【００６３】
図６は、電気ハブ１００を内部に取り付けられている本発明の横部材１４を示しており、スピーカー１７０および誘導充電器１７２が、電気ハブを通じて電力を供給されており、それらのスピーカーおよび誘導充電器は、横部材内に取り付けられている。
【００６４】
スピーカー、誘導充電器（たとえば、肘掛けとしての役割を果たしている横部材の布の下の）、冷蔵庫、サラウンドサウンドシステム用の増幅器、および家具アセンブリ内に有するのが便利である膨大な数のその他の電気デバイスなど、さまざまな電子デバイスが、電気コンセントアセンブリ１０２のコンセントに、または図５〜図６において示されている内部コンセント１４０’に電気的に結合されることが可能である。さまざまな実施形態においては、コンセント１４０’は、１つ、２つ、または３つ以上の電気コンセントを有する。
【００６５】
加えて、ステレオおよびサラウンドサウンドを提供するために、ならびに便利に配線された電気家具アセンブリを提供するために、ハブ１００と、スピーカー１７０と、充電器１７２とを伴う１つまたは複数のさらなる横部材が提供されることも可能である。
【００６６】
家具アセンブリ１０に座っているユーザは、モジュラー家具アセンブリに座っている間に、横部材１４内に取り付けられている誘導充電器１７２を使用して、セルラー電話などの電気デバイスを便利に再充電することができる。
【００６７】
セルラー電話などのモバイルデバイス、コンピュータ、照明システム、ランプ、またはその他の電子デバイスを充電するために、たとえば、横部材内に埋め込まれている誘導充電器１７２またはその他のデバイスを介したＱｉワイヤレス充電が使用される。図６において示されているように、誘導充電器としても知られているＱｉ充電器が、家具カバーの下に隠されること、および／または横部材１４の実施形態の木製フレーム内に埋め込まれることが可能である。一実施形態においては、誘導充電器は、セルラー電話などのモバイルデバイスなどのための容易なアクセスを提供するために、薄いカバーの下の１つまたは複数の横部材の上側表面上に取り付けられる。
【００６８】
誘導充電器は、所望される場合には、布の層を通じて充電を行う。誘導充電器は、横部材または台座の中などのさまざまなロケーションに置かれることが可能である。
【００６９】
たとえば、アンビエンスライト、ヒーティングシステム、クーリングシステム、およびモーションセンサを含むその他の埋め込まれるデバイスが、横部材１４内でまたは台座１２内で採用されることが可能である。
【００７０】
図７は、横部材１４と、横部材１４内に取り付けられているハブ１００との、ハブ１００に電気的に結合されているランプ１５０を含む切り欠き斜視図である。図７において示されているように、ハブ電気コード１１０は、ハブ１００から横部材１４を通って横部材１４のフレームの底部分における穴の外へ、および横部材１４の下へ延びており、それによってハブ電気コード１１０は、外部電源へプラグを差し込まれることが可能である。示されているハブ電気コード１１０は柔軟であり、示されている実施形態のうちのいくつかにおいては、たとえば図７においては、複数の延長コードから構成されている。
【００７１】
ランプ１５０などの電気デバイスは、そのコード１６０を、図７において示されているように床置きコードコンセント１４０ａに便利に接続されている。電気コード１１０は、したがって有利である。なぜなら、床置きコードコンセント１４０ａなどのコードコンセントが、ランプ１５０などの電気デバイスに給電し、対応する電気コード１６０の少なくとも一部分を視界から隠して、より機能的な家具アセンブリおよびより心地よい美的な外観を提供することができるからである。
【００７２】
電気コード１１０の周りに延在しているコードエルボ１２０も示されている。コードエルボ１２０は、屈曲しているエルボ形状でハブ電気コード１１０の長さに沿ってコード１１０の周りに配置されている剛性のまたは半剛性のコンポーネントである（たとえば、硬質プラスチックから構成されている）。コードエルボ１２０は、ハブ電気コード１１０の周りに配置されて、ハブ電気コード１１０の便利な永続的な屈曲を容易にし、その一方で同時にコード１１０の屈曲された部分を保護している。一実施形態においては、コードエルボ１２０は、電気コンセントアセンブリ１０２と壁コンセント１９などの電源との間に延在している床またはその他の表面にハブ電気コード１１０が着く位置でハブ電気コード１１０を屈曲させる。
【００７３】
コードエルボ１２０などのエルボは、垂直な向きから水平な向きへの保護された円滑な遷移を提供し、電気コードの周りに巻き付けられること、およびそのコードの周りに巻き付けられた剛性のまたは半剛性の管状部材を形成することが可能である硬質プラスチック、またはゴム、ネオプレン、シリコーン、もしくはその他の材料などのさまざまな異なる材料から構成されることが可能である。
【００７４】
コードの周りに延在しているコードエルボ１２０などのエルボはしたがって、電気コードを、屈曲している間の破断または擦り切れから保護し、見られる電気コードの量を最小化し、いくつかの場合においては、電気コードを視界から隠す。
【００７５】
また図７において示されているように、カプラ１５の１つのカプラプレート１５ａが、台座１２の対応する開口３２内にフィットするように構成されており、その一方でカプラ１５の別のプレートが、横部材１４の対応する開口３３内にフィットして、それによって台座１２を部材１４に選択的に接続する。示されているように、一実施形態においては、Ｕ字型カプラ１５は、カプラ１５をそれぞれの開口３２、３３から取り外すためのリボンハンドルがそこに取り付けられており、その上部に穴を有することができ、その穴は、カプラ１５の重量を低減する上で役立つ。その他の実施形態においては、その穴およびリボンは採用されない。
【００７６】
図７はさらに、横部材１４の本体内に取り付けられている内蔵コードコンセント１４０ａまたは１４０’の利便性および実用性を示しており、内蔵コードコンセント１４０ａまたは１４０’は、ランプ１５０のコード１６０、ならびに／または横部材１４内に取り付けられている１つもしくは複数のスピーカー１７０および１つもしくは複数のワイヤレス電気誘導充電器１７２のそれぞれのコード１７０ａ、１７２ａ（図６）を受け入れる。
【００７７】
誘導充電器１７２は、たとえば、ユーザによって横部材１４上に置かれた電子デバイス、たとえば電話および／またはコンピュータを便利にワイヤレスに充電するために、横部材１４内の布の下に取り付けられることが可能である。
【００７８】
１つまたは複数のタブ１２０ａ〜ｂが、ハブ１００のパネル１０４から延びており、横部材１４および台座部材１２がともに結合された場合には横部材１４と台座部材１２との間に存在するように構成されている。この方法においては、タブ１２０ａ〜ｂは、横部材１４と台座部材１２との間に圧入されて、ハブ１００を横部材１４における空洞２６内に少なくとも部分的に固定するのを補助する。
【００７９】
スピーカー内蔵台座１２ａおよび横部材１４ａとともに、ならびに／またはスピーカー非内蔵台座および横部材とともに、カプラ１５および同様のカプラ、ならびにハブ１００および同様のハブが採用されて、結合および電力を提供することが可能である。
【００８０】
図８Ａ〜図８Ｈ：スピーカーシステムを伴う台座１２ａ
図８Ａ〜図８Ｈは、本発明の図１Ａ〜図３の椅子の形態の家具システム２００の台座１２ａと、台座１２ａのフレーム内に取り付けられるサブウーファースピーカーシステムとの例を示している。
【００８１】
図８Ａ〜図８Ｈは、サブウーファー２１０ａが台座１２ａ内にどのようにして取り付けられ配置されるかを示している。図８Ａ〜図８Ｈにおいて示されているように、台座部材１２ａは、サブウーファー２１０ａが取り付けられるフレームアセンブリ２１６を含む。サブウーファー２１０ａは、そのオーディオ信号をワイヤレスに（たとえば、送信機２２４から、もしくは受信機／増幅器２１７から）、または有線接続を通じて（たとえば、オーディオ受信機２１７から）受信することができる。給電されるサブウーファーのための電力は、ハブ１００から提供されることが可能である。サブウーファーがパッシブ型である（たとえば、内蔵増幅器がない）場合には、増幅された信号は、受信機／増幅器２１７から提供されることが可能である。
【００８２】
図８Ａ〜図８Ｈは、サブウーファー２１０ａが台座１２のフレームアセンブリ２１６内にどのようにして埋め込まれるかを示している。台座１２ａのフレームアセンブリ２１６は、フレームアセンブリ２１６内に空洞２２６を有しており、その空洞２２６内にサブウーファー２１０ａが配置される。
【００８３】
サブウーファースピーカー２１０ａは、サブウーファースピーカードライバ２１１ａ（そのようなスピーカードライバに典型的に関連付けられている電子部品およびその他の構造、たとえば、その磁石を含む）から構成されている。スピーカードライバ２１１ａは、ドライバ２１１ａが取り付けられているスピーカーハウジング２２８に結合されている。スピーカーハウジング２２８は、サブウーファースピーカー２１０ａに関連付けられている所与の所望の内部容積を提供する。示されている実施形態においては、ハウジング２２８は、フレームアセンブリ２１６内の空洞２２６とは別個に画定されている。
【００８４】
スピーカーハウジング２２８の構成は、スピーカー２１０ａが台座部材１２ａの空洞２２６から取り外されることを可能にして、ユーザがサブウーファーアセンブリ２１０ａを所与の台座部材１２ａから取り外して、それを別の台座部材１２、たとえば、それまではサブウーファースピーカー２１０ａを内部に含んでいなかったかもしれない台座部材１２内に据え付けることを可能にする。サブウーファーアセンブリ２１０ａはしたがって、完全に自己完結型である。エンクロージャー２２８は、所望に応じて、密閉されることまたは出入口を設置されることが可能である。
【００８５】
サブウーファースピーカー２１０ａは、スピーカーハウジング２２８の向かい合っている両側部に取り付けられている細長い取り付けアーム２３０ａおよびアーム２３０ｂをさらに含む。アーム２３０ａおよびアーム２３０ｂは、エンクロージャー２２８に取り付けられており、エンクロージャー２２８を台座１２ａのフレームアセンブリ２１６に結合する。
【００８６】
例示されている実施形態においては、アーム２３０ａおよび２３０ｂはそれぞれ、それらのそれぞれの端部における角度を付けられた末端延長部２３２と、それに関連付けられている取り付け穴２３２ａとを含む。穴２３２ａの配置および配向は、台座部材１２ａの足部２０ａを取り付けるための穴と穴２３２ａの位置が合う様式でサブウーファースピーカー２１０ａがフレームアセンブリ２１６の空洞２２６内に受けられることを可能にするように構成されている。
【００８７】
アーム２３０ａ〜アーム２３０ｂのそれぞれは、約９０度の角度を付けられたＬ字型の断面を有しているＬ字型シャフト本体から構成されており、それぞれのシャフト本体は、そのシャフト本体から延びている終端延長部２３２を有している。終端延長部２３２は、図８Ｈにおいて示されているようにシャフト本体から横方向に外側へ延びるように角度を付けられている。図８Ｈにおいて示されているように、終端延長部２３２は、Ｌ字型シャフト本体の脚のうちの１つと同じ平面に延在している。アーム２３０ａ〜アーム２３０ｂを使用して、関連付けられているスピーカーが、台座のフレームアセンブリに迅速に効率よく結合されることが可能であり、スピーカーを選択的に取り替えるためにそこから容易に取り外されることが可能である。
【００８８】
したがって、本発明の一実施形態においては、スピーカーシステムは、１つまたは複数のスピーカーを家具アセンブリの一部分のフレームに結合するように構成されている１つまたは複数のアームを含み、それらの１つまたは複数のアームは、角度を付けられたＬ字型の断面を有しているＬ字型シャフト本体から構成されており、そのシャフト本体は、そのシャフト本体から延びている終端延長部を有しており、それらの終端延長部は、シャフト本体から横方向に外側へ延びるように角度を付けられており、それらの終端延長部は、Ｌ字型シャフト本体の脚のうちの１つと同じ平面に延在している。
【００８９】
この関係は、図８Ａ〜図８Ｈにおいてさらに示されており、図８Ａ〜図８Ｈにおいては、足部２０ａの配置が示されている。台座部材１２ａの足部２０ａは、たとえば、それぞれの足部２０ａと、足部２０ａがねじ式に受けられるフレームアセンブリ２１６における穴との間にアーム２３０ａおよび２３０ｂが挟まれている状態でフレームアセンブリ２１６のそれぞれの４つのコーナーに取り付けられるように構成されているものとして示されている。図８Ｂは、フレームアセンブリ２１６のコーナー部分を挟む内部にねじ山を切られた上側および下側のハブ２３３の配置を示している。足部２０ａは、フレームアセンブリ２１６のコーナー部分の中のハブ２３３内へ選択的にねじ込まれることが可能である。
【００９０】
図８Ａ〜図８Ｈにおいてさらに示されているように、サブウーファースピーカー２１０ａは、サブウーファースピーカー２１０ａのドライバ２１１ａが下に、たとえば、足部２０ａと同じ方向に（床の方へ）向けられるような配向で台座１２のフレームアセンブリ２１６内に配置されて示されている。
【００９１】
言い換えれば、サブウーファー２１０ａに関連付けられているドライバ２１１ａのコーンは、台座１２ａ内で組み立てられた場合にサウンドを下に床またはその他の支持表面の方へ導くものとして示されている。
【００９２】
その他の構成も可能である。たとえば、ドライバ２１１ａは、代替としてひっくり返されることが可能であり、それによって、サブウーファースピーカー２１０ａに関連付けられているドライバ２１１ａのコーンは、台座１２ａ内で上に、言い換えれば、座っているユーザの方へ向けられる。
【００９３】
これらの異なる構成のそれぞれは、サウンドが強化された別々の経験をユーザに提供する。たとえば、ドライバ２１１ａが床の方へ下に向けられている場合には、サウンドが反射されて床を離れ、反射されたサウンドは潜在的に、反射されたサウンドの利点を有しており、それらの利点は、いくつかの実施形態においては、サウンド品質を改善することを含む。
【００９４】
ドライバ２１１ａが、台座１２ａに座っているユーザの方へ上に向けられている場合には、増大された量の反響をユーザが感じることおよび経験することが可能であることがあり、ユーザにとっての４次元の経験を改善し、ユーザは、いくつかの実施形態においては、スピーカーのサウンドをより強烈に感じることができる。
【００９５】
示されている構成は、サブウーファースピーカー２１０ａのドライバ２１１ａのための高度な保護を提供し、その一方で優れたサウンド品質も提供する。いくつかの実施形態においては、１２０Ｈｚ以下、または８０Ｈｚ以下の周波数は大部分が無指向性であるので、カウチ２００に座っているユーザは、そのようなサウンドがどの方向から来ているかを容易に区別することはできない。
【００９６】
台座１２ａのフレームアセンブリ２１６に関連付けられているエンクロージャーを使用することに加えて、サブウーファースピーカー２１０ａのためのフルエンクロージャーハウジング２２８を提供することは、サブウーファースピーカー２１０ａのドライバ２１１ａへのさらなる保護を提供する。
【００９７】
たとえば、エンクロージャー２２８の上側は、クッションが配置されるフレームアセンブリ２１６の上部に結合されているスプリング２６３からスペースを空けられている。そのスペースはしたがって、エンクロージャー２２８の上部と、フレームアセンブリ２１６の上部に結合されているスプリング２６３との間に提供され、それによって、フレームアセンブリ２１６の上部に結合されているスプリング２６３上に（またはスプリング２６３を覆う布カバー２６６もしくはその他のカバー上に）配置されているクッション１８にユーザが座る場合に、サブウーファースピーカー２１０ａのドライバ２１１ａに対するダメージのリスクはほとんどない。
【００９８】
たとえば、スプリング２６３とハウジング２２８との間におけるそのようなスペースまたは隙間は、たとえば、少なくとも約２インチから約５インチであることが可能である。
【００９９】
図８Ａおよび図８Ｂにおいて示されているように、１つまたは複数の内部にねじ山を切られたハブ２３３が、台座フレーム２２６のコーナーのうちのそれぞれに結合されている。一実施形態においては、対応する上側ハブおよび下側ハブ２３３がコーナー内に取り付けられ、それによってそれぞれのコーナーは、その開口の中に上側ハブおよび下側ハブを有する。足部２０ａは、対応する上側ハブおよび／または下側ハブ２３３内にねじ込まれることによって、対応するコーナーにねじ式に結合される。
【０１００】
図８Ｄの実施形態においては、足部カプラ２３４が示されている。足部カプラ２３４は、図８Ｆおよび図８Ｈにおいてさらに示されている。一実施形態においては、足部カプラ２３４の穴のうちのそれぞれの直径は、足部２０ａの外径よりも大きく、それによって足部カプラ２３４の縁部分および本体部分が、アーム２３０ａ〜２３０ｂのコーナー２３２に接触し、それによってアームの台座フレーム２１６と、台座１２ａに座っている個人との重量が、足部２０によってではなく、足部カプラ２３４によって受けられる。
【０１０１】
図８Ｆは、内側カバー２６８および外側カバー２６９の例を示しており、内側カバー２６８および外側カバー２６９は、台座フレーム２１６上に取り付けられており、図８Ｆにおいて示されているように、台座フレーム２１６の下側へとわずかに延びている端部を有している。カバー２６８、２６９は、さまざまな異なる布から構成されることが可能である。フレームアセンブリ２１６の底部上のドライバ２１１ａを覆うための金属またはプラスチックメッシュまたはケージング材料など、さらなるカバーまたはシールディング部材が、台座フレーム２１６および／またはスピーカーシステム２１０ａを保護するために使用されることが可能である。内側カバー２６８およびフレーム２１６を保護するために、ならびに選択的に変更可能な美的な外観を提供するために、取り外し可能な外側カバー２６９が、フレーム２１６の下面上に、および／または内側カバー２６８上に選択的に、取り外し可能に取り付けられる。カバー２６８、２６９は、取り付け部材を用いて、たとえば、ベルクロ、スナップなど、２つの部分からなる１つもしくは複数の取り付け部材を用いて、またはさまざまな異なる取り付け部材を用いて、フレームアセンブリ２１６を覆って固定されることが可能である。内側カバー２６８をフレーム２１６に接続するために、ステープルまたはその他の取り付け部材が使用されることが可能である。
【０１０２】
図８Ａ〜図８Ｈにおいて示されているように、フレームアセンブリ２１６の上側端部において、ヘビ状のスプリング６３および／またはイタリアンウェビング６５がフレームアセンブリ２１６上に取り付けられている。そのような弾力性のあるクッション構造は、フレームアセンブリ２１６を覆って置かれているクッション１８に対する支持を提供し、フレームアセンブリ２１６またはその上に置かれているクッションの上でユーザがたとえ足踏みまたはジャンプを行ったとしても、スプリング２６３およびウェビング２６５がエンクロージャーハウジング２２８に押し付けられないことを確実にするのを補助することもできる。
【０１０３】
ユーザがスプリング２６３および／またはウェビング２６５をハウジング２２８の上面に押圧することができたならという起こりそうもない場合でさえ、剛性のエンクロージャーハウジング２２８は依然として、サブウーファードライバ２１１ａをいかなるダメージからも保護するであろう。したがって、ハウジング２２８の構成、およびハウジング２２８とスプリング２６３との間におけるスペースが、サブウーファードライバ２１１ａのための二重層の保護を提供する。
【０１０４】
図８Ｆおよび図８Ｈにおいてさらに示されているように、隣り合った台座部材１２ａおよび／または横部材１４ａを互いに結合するために使用されている足部カプラ３４は、足部２０ａに接触することなく足部２０ａの周りを囲むのに十分な大きさである開口３５を有しており、それによって、足部カプラ３４の上側表面が、台座１２ａのそれぞれのコーナーにおけるアーム２３０ａおよび２３０ｂの表面に、それらのコーナーのその他の表面とともに接触し、それによって、台座部材１２ａに関連付けられている力および負担のうちのより多くが、アーム部材２３０ａおよび２３０ｂ、ならびにフレームアセンブリ２１６および足部カプラ３４によって支えられ、その力のすべてが足部部材２０内に集中されることはない。
【０１０５】
図９Ａ〜図１２：スピーカーを伴う横部材
図９Ａ〜図９Ｄは、本発明の図１Ａから図３の横部材１４ａの例を、横部材１４ａのフレーム内に取り付けられているスピーカーとともに示している。横部材１４ａ内に選択的に取り付けられる電気ハブ１００が、横部材１４ａ内に取り付けられて示されている。横部材１４ａの内側カバー２４１および外側カバー２４３の描写が、図９Ｂ〜図９Ｃにおいて示されている。カバー２４１、２４３は、図９Ａおよび図９Ｄにおいては示されていない。
【０１０６】
図９Ａ〜図９Ｄは、２つのスピーカーを内部に埋め込まれている横部材１４ａを示している。図９Ａ〜図９Ｄは、横部材１４ａのフレーム２７０の上および中へのフロントスピーカー２１２ａの取り付けと、横部材１４ａのフレーム２７０の上および中に取り付けられるリアの上向きのサラウンドスピーカー２１４ａとを示している。図９Ａは、図１のフロントスピーカー２１２ａ〜ｂおよびリアスピーカー２１４ａ〜ｂが横部材１４ａ内の枠組み２７０にどのようにして取り付けられることが可能であるかを示している。
【０１０７】
図９Ａにおいて示されているように、サラウンドサウンドスピーカー２１４ａおよびフロントスピーカー２１２ａをフレーム２７０に取り付けるための例示的な取り付け構成が示されている。たとえば、スピーカー２１２ａは、示されているように、横部材１４ａのフレーム２７０の合板、その他の木材、またはその他の材料にねじ留め、ボルト留め、またはその他の形で固定される。横部材１４ａのフレーム２７０は、フレーム２７０内に内蔵スピーカー空洞を画定および作成する垂直向きの部材および水平向きの部材から構成されている。フレームは、その１つまたは複数の外側表面上を、フレーム２７０に対するクッション作用を提供するためのクッション材２７２、たとえば、ポリウレタンフォーム材料によって覆われている。
【０１０８】
フレーム２７０およびクッション材２７２を通って穴２７４、２７６が形成されており、それらを通って、それぞれのスピーカー２１２ａ、２１４ａのサウンドが放射される。ポリウレタンまたはその他のフォームの層が、典型的には、横部材１４ａのフレーム２７０の上部、側部、ならびに前面および背面の周りに存在する。穴２７４、２７６は、そのようなフォームおよびフレーム２７０を通って延びており、それらを通って、それぞれの穴２７４、２７６に隣り合ったそれぞれのスピーカー２１２ａ、２１４ａがサウンドを放射する。
【０１０９】
図９Ｂ〜図９Ｃにおいて示されているように、内側布カバー２４１が、横部材１４のフォーム２７２およびフレーム２７０を覆って延在しており、フレーム２７０の底部上に接続している。一実施形態においては、そのような布は、穴２７４、２７６を覆って延在して、それぞれのスピーカー２１２ａ、２１４ａを保護する。外側の取り外し可能な内装布カバー２４３が、内側カバー２４３を覆って選択的に置かれる。スピーカーによって生成される周波数が調整され、それによって、スピーカー２１２ａ〜ｂから放射されるサウンドが、内側カバー２４１および外側カバー２４３（それらのカバーは典型的に、音響的に透過性の材料ではない）を通過するサウンドを補うように調整される。
【０１１０】
別の実施形態においては、布の内側カバーが、ポリウレタンもしくはその他のフォーム材料および／または合板フレーム部材の穴の中に取り付けられることが可能であり、その後にスピーカーがフレーム部材に固定される。外側の内装布カバーが次いで、スピーカー２１２ａ、２１４ａを含む横部材を覆って延在して、それらのスピーカーを視界から隠す。
【０１１１】
リアサラウンドスピーカー２１４ａは、スピーカー２１２ａと同じもしくは同様の様式で、または異なる様式で取り付けられることが可能である。たとえば、スピーカー２１４ａは、横部材１４ａの合板またはその他のフレーム部材に固定されて、そのフレーム部材における穴に隣り合って取り付けられることが可能である。穴がまた、横部材１４ａの上面の周りのポリウレタンまたはその他のフォームを通って提供され、それを通ってサラウンドスピーカー２１４ａが取り付けられる。内側布カバーおよび外側布カバーが同様に、リアサラウンドスピーカー２１４ａを覆っておよび／またはその周りに延在している。
【０１１２】
一実施形態においては、横部材フレーム２７０は、おそらくはフレーム２７０の底部表面上、ならびにおそらくはカプラ１５およびハブ１００が取り付けられる空洞２６内を除いて、もっぱらクッション材２７２によって周りを囲まれている。
【０１１３】
図９Ａ〜図９Ｄのフロントスピーカー２１２ａおよびリアサラウンドスピーカー２１４ａは、横部材１４ａのフレーム２７０内の区画内に取り付けられ、たとえば、ねじまたはボルトを用いて、フレーム２７０に結合される。フレーム２７０およびフォーム２７２における穴２７４、２７６は、それぞれのスピーカーコーンの内径に対応している。示されているように、内側カバー２４１は、穴２７４の外側部分を覆っていて、それによってスピーカーを覆うことが可能であり、またはスピーカーを収納しているフレームおよびフォームにおいて設けられている穴の中にたくし込まれることが可能である。
【０１１４】
スピーカー内蔵横部材１４ａの図９Ａ〜図９Ｄのスピーカー２１２ａ、２１４ａはしたがって、そのフレーム２７０内に、それらのスピーカーのドライバがフレーム２７０にねじ留めまたはボルト留めされた状態で、ならびにスピーカー２１２ａ、２１４ａのコーンの内径が、フレームおよび隣り合ったフォームを通るそれぞれの円形の穴に隣り合って置かれている状態で、それぞれ配置されている。
【０１１５】
外側フォームカバリングにおける穴は、横部材フレームを覆う内側カバー２４１（図９Ｂ）によって、および／または色、生地などに従ってユーザによって選択的に購入されて内側カバー２４１を覆って選択的に置かれる外側カバー２４３（たとえば、洗える）によって覆われることが可能である。スピーカー２１２ａ〜２１４ａは、カバー２４１、２４３の内装布を通して高音質の様式でサウンドを放射するために調整される。たとえば、布カバーによって優先的に吸収される（所与の周波数が布カバーを通過する際にその音量を変更する）周波数が強められて、そのような周波数がカバーを通過する際の損失を補うことが可能である。比較的高い周波数は典型的に、比較的低い周波数に比べて、そのような布の通過によってさらに大幅に減衰され、それによって調整は、布の他方の側において（すなわち、リスナーの耳において）聞かれた際に周波数スペクトル全体にわたって「均一な」周波数応答を提供するために、（より低い周波数をほとんどまたはまったく強めないことと比較して）より高い周波数を優先的に強めることを含むことができる。
【０１１６】
横部材１４ａのドライバは、布カバーによって提供される保護を超えるさらなる保護のために、クッション材および／またはフレーム内の穴の中に取り付けられる金属またはプラスチックメッシュまたはケージング材料によって任意選択で覆われることが可能である。
【０１１７】
図９Ａ〜図９Ｄの前向きのスピーカー２１２ａは、横部材１４ａの前面２３４に隣り合って配置されて示されている。フロントスピーカー２１２ａは、前面２３４の上部の付近に配置されているものとして示されている。上向きのリアサラウンドスピーカー２１４ａは、横部材１４ａの上面２３６に隣り合って埋め込まれているものとして示されている。サラウンドスピーカー２１４ａは、部材１４ａの上側表面２３６の後端の付近の横部材１４内に配置されているものとして示されている。
【０１１８】
スピーカー２１２ａ、２１４ａの構造および配置および調整は、それらのスピーカーのサウンドおよび忠実度にとって戦略的に有用である。なぜなら、それらのスピーカーは、１つまたは複数のカバー２４１、２４３によって覆われているからである。
【０１１９】
そのような配置は有利である。なぜなら、それは、スピーカー２１２ａ、２１４ａを、カウチアセンブリ２００が置かれている床のかなり上に配置し、その一方でまた、リアサラウンドスピーカー２１４ａを、カウチ２００に座っているユーザの耳の付近に、おそらくは後ろに配置するからである。そのような配置はやはり有利である。なぜなら、それは、さもなければスピーカーが床の付近にあるとすれば生じたかもしれないダメージからスピーカー２１２ａおよび２１４ａを保護するのを補助するからである。
【０１２０】
たとえば、スピーカー２１２ａ、２１４ａを床表面にさらに近く配置することは、ユーザがスピーカーをうっかり蹴ってしまう結果をもたらす可能性があり、それによってそれにダメージを与える可能性がある。サラウンドスピーカー２１４ａを横部材１４の上側表面２３６の後端に、またはその付近に配置することも有利である。なぜなら、ユーザは、このロケーションにおいては、または腕もしくは手がスピーカーよりも上にある位置においてさえ、飲み物をこぼして、それによってスピーカーにダメージを与える、および／または生成されたサウンドをこもらせる可能性がより低いからである。
【０１２１】
本発明の台座部材および横部材の内部家具空洞は、反響および配置によってオーディオ品質を潜在的に強化するために利用される。横部材そのもの（またはそのようなスペース内のエンクロージャー）の体積は、スピーカーエンクロージャーとして使用されて、望ましい反響を生み出すことが可能である。スピーカーは、スピーカーのフレームを覆っている布カバーを通るスピーカー出力のために調整され、これは高度に有用である。
【０１２２】
取り外し可能な外側カバー２４３が、２つの部分からなる取り付けアセンブリ、たとえばベルクロ、または２つの部分からなるその他の取り付けアセンブリの使用を通じて、横部材フレーム２７０（および少なくとも部分的に周りを囲んでいるフォーム２７２）上に、ならびに／または内側カバー２４１上に選択的に取り付けられることが可能である。
【０１２３】
内側カバー２４１および外側カバー２４３は、さまざまな異なる内装布から構成されることが可能であり、そのような布は、ポリエステルファイバまたはその他のファイバなどのファイバを含む。カバー２４１、２４３の布は、織布または不織布であることが可能である。典型的には、そのような布は、音響的に透過性ではなく、たとえば、それらは、２０Ｈｚから２０ｋＨｚまでの１つまたは複数の周波数の音波に対して、そのようないずれの周波数も３ｄＢ超（すなわち、±３ｄＢ超）減衰させること（または強めること）によって影響を与える。たとえば、そのような内装布は、比較的重い布であり、それらは典型的に、とりわけ、より高いサウンド周波数を３ｄＢ超減衰させる場合がある。布によるそのような減衰の結果として、内装布の後ろに隠されているそのようないずれのスピーカーにおいて生成されるサウンドも、そのサウンドが布を通過する際に生じる減衰を補うために、減衰される周波数のボリュームを増大させるように調整されることが可能である。たとえば、布が２ｋＨｚのサウンドを６ｄＢ減衰させる場合には、調整は、２ｋＨｚのサウンドのボリュームを６ｄＢ増大させて補うことができる。典型的には、布によって誘発されるそのような減衰を補うために強められることが可能であるいくつかの周波数があると言える。
【０１２４】
内側および／または外側カバー２４３のための内装材料の例は、たとえば、ポリエステル、シェニール、ツイード、リンネル、ベルベット、革、ポリエステルリンネル、綿、綿混紡、デニム、ツイル、人工毛皮、革などを含む。そのような材料は、台座部材１２ａのための外側カバー用に使用されることも可能であり、それらのすべてが内装布の例であるが、さまざまな異なる布が採用されることが可能である。
【０１２５】
本発明の台座および／または横部材のための内側カバーおよび／または外側カバーとして使用されることが可能である内装布の重量の例は、たとえば、約５０グラム／平方メートル（ＧＳＭ）から約１５００グラム／平方メートル（ＧＳＭ）、たとえば、約１００ＧＳＭから約１０００ＧＳＭなど、または約１９０ＧＳＭから約８００ＧＳＭなどの範囲の重量を有する布を含むが、さまざまな異なる内側および外側の布が採用されることが可能である。本発明のスピーカーは、そのような布に起因する減衰が補われる様式でそのような布を通してサウンドを放射するために調節および調整される。
【０１２６】
一実施形態においては、台座１２ａの内側カバーおよび／または横部材１４ａの内側カバーは、たとえば、約９０パーセントのポリエステルおよび約１０パーセントの綿混紡を含む薄いカバーから構成されている。
【０１２７】
一実施形態においては、サウンドが放射される際に経由するカバー２４１、２４３の内装布を通じてスピーカーを調整することに関して、横部材１４ａにおいて使用される内装布は、一実施形態においては、音響的に透過性の布ではなく、むしろ、内装、椅子、カウチ、およびその他の家具において採用されるように構成されている内装布である。
【０１２８】
この理由のために、フロントスピーカーおよびサラウンドスピーカーは、そのようなスピーカーから生成されるサウンドが内装布を通過することを必要とされるという動態に対応するように調整されることが可能である。
【０１２９】
たとえば、そのようなスピーカーから生成される比較的高い周波数（たとえば、２００Ｈｚ以上、４００Ｈｚ以上、８００Ｈｚ以上、２ｋＨｚ以上、４ｋＨｚ以上など）はしばしば、そのような布の通過によって影響され、それに関連付けられているいくらかの度合いの減衰を有する場合があり、その減衰は、増大する周波数に伴って増大する場合がある。この結果として、スピーカーは、そのようなより高い周波数を、それらが布を通過する前に強化することによって調整されることが可能であり、それによって、スピーカーサウンドが布を通過すると、それはほぼ、それがリスナーによって聞かれ受け取られることを意図されているボリュームである（たとえば、それによって、全体的な調整された出力は、減衰されていない「ターゲット」値の±３ｄＢ以内である）。
【０１３０】
言及したように、内側および／または外側カバー２４３のための内装材料の例は、たとえば、シェニール、ツイード、リンネル、ベルベット、革、ポリエステルリンネル、綿、綿混紡、デニム、および家具内装において使用されるその他のものを含む。そのような内装布を通してサウンドを提供するためにスピーカーの周波数を調整することは、本発明のユニークで新規な側面である。
【０１３１】
そのような配置は、スピーカー２１２ａおよび２１４ａを横部材１４内に隠して、ユーザまたはその他の人によって容易に見られないようにするが、スピーカーからの高音質サウンドも可能にする。
【０１３２】
スピーカーをそのように隠すことは、少なくともいくつかの実施形態においては特に有利である。たとえば、多くのユーザは、部屋内での本棚などのロケーションにおける、またはカウチからいくらかの距離に配置されたスタンド上での（これは、しばしば典型的である）スピーカーの外観を嫌う。
【０１３３】
これらの構成は、それらがスピーカーを、ときには、サラウンドサウンドシステムに関連付けられているスピーカーのうちのすべてでさえ完全に隠すことを可能にするという点で有利である。
【０１３４】
スピーカー２１２ａおよび／または２１４ａのそれぞれは、所望の任意の様式で横部材１４内に取り付けられることが可能である。たとえば、それらは、サブウーファーアセンブリに関して上述されているものと同様の専用のハウジングエンクロージャーをそれぞれ含むことができる。そのようなハウジングエンクロージャーは、横部材１４ａ内のフレームアセンブリに取り付けられることが可能である。別の実施形態においては、スピーカー２１２ａおよび／または２１４ａに関連付けられているスピーカードライバが、スピーカー２１２ａおよび／または２１４ａのうちの一方または両方に関して横部材１４ａに関連付けられている空洞を採用して、横部材１４ａ内の内側に配置されているフレーム部材に簡単に取り付けられることが可能である。
【０１３５】
図９Ｄに関して、穴カバー２４５が、図９Ｄにおいて示されているように、横部材１４ａ内の内部システムの電子部品を覆うためのプラグとして採用されることが可能である。たとえば、図９Ｃは、横部材１４ａの底面における穴または隙間２４７を示しており、そこをコード１１０が通っている。図９Ｄにおいて示されているように、穴２４７は、穴カバリング２４５によって覆われて示されている。比較的小さなスロット２４９がカバリング２４５を通って提供されて、コード１１０がそこを通って延びること可能にすることができる。
【０１３６】
図９Ａにおいて示されているように、配線２１８ａ、２１８ｂが、必要に応じて、埋め込まれているスピーカー２１２ａおよび／または２１４ｂに電力および／または信号を提供する。ワイヤ２１８ａは、たとえば、ハウジング２２８の上、付近、または中の台座１２ａに取り付けられることが可能である増幅器２１７（図１５を参照されたい）と、フロントスピーカー２１２ａとの間における電気接続の少なくとも一部を提供する。ケーブルまたは配線２１８ａ〜ｂは、家具アセンブリ２００のモジュール性を維持するために複数のセクションにおいて提供されることが可能であるということが理解されるであろう。たとえば、そのような配線セクションどうしの間における結合は、横部材１４内に配置されているハブ１００においてまたはその付近で提供されることが可能である。
【０１３７】
たとえば、そのような配線またはケーブルの最初のセクションが、台座部材１２ａおよび増幅器２１７から、カプラ１５および／またはハブ１００に近いまたは隣り合っている台座部材１２ａのロケーションへ延びることが可能であるということが理解されるであろう。
【０１３８】
配線またはケーブルのこの最初のセクションは、このロケーションにおいて適切なＲＣＡまたはその他のタイプのカップリングジャックを用いて終端されることが可能である。横部材１４ａは、スピーカー２１２ａから横部材１４を通って、ハブ１００においてまたはその付近で結合する別のジャックへ延びる配線２１８ａの別のセクションを同様に含むことができる。横部材１４ａが台座部材１２ａに隣り合って配置されてそこに結合された状態でモジュラー家具アセンブリ２００が組み立てられると、カップリングまたはケーブルが、２つのそのようなジャックの間に延ばされて（横部材１４ａおよび台座１２ａ内の配線を橋渡しして）、増幅器２１７からスピーカー２１２ａへの効果的な有線接続を提供することが可能である。
【０１３９】
同様のマルチセクション配線またはケーブル構成が、リアのサラウンドスピーカー２１４ａと、ハブ１００におけるまたはその付近のジャックとの間において、および増幅器２１７からハブ１００におけるまたはその付近のロケーションまで、台座１２ａにおける配線と、横部材１４ａにおける配線との間における橋渡し結合または配線を用いて同様に提供されることが可能である。
【０１４０】
別の構成においては、台座部材および横部材にわたるそのような内部の配線は、必ずしも必要とされない場合がある。たとえば、ワイヤレス送信を通じて受信機２１７（たとえば、オーディオもしくはホームシアター受信機）および／または送信機２２４からスピーカーへ信号が送信されることが可能である。
【０１４１】
そのような実施形態においては、信号は、スピーカー２１２ａおよび／またはスピーカー２１４ａへワイヤレスに送信されることが可能である。そのような実施形態においては、たとえばハブ１００の使用を通じて、スピーカー２１２ａおよび／または２１４ａに電力を提供することが依然として必要である場合がある。信号のそのようなワイヤレス送信は、少なくともスピーカー２１２ａおよび２１４ａに関して、台座１２ａから横部材１４ａへの電力または信号のためのいかなる配線または電気結合に対する必要性もなくすことができる。
【０１４２】
電力および／または信号の送信のためにジャンパー接続が所望される場合には、そのような接続は、任意の適切な構成を通じて達成されることが可能である。たとえば、そのようなスピーカーワイヤまたはケーブルのためのクイック接続ポート（たとえば、ＲＣＡ、バナナプラグ、またはその他）が、たとえば横部材１４ａから台座部材１２ａへ、ジャンパーケーブルを接続するために横部材１４ａの底部側（図９Ｃ）に配置されることが可能である。
【０１４３】
一実施形態においては、誘導充電器１７２（図６におけるものなど）が、横部材１４ａのフレーム２７０の上側表面に取り付けられ、たとえば、フレーム２７０の上のフォーム２７２内に埋め込まれ、フレーム２７０上に取り付けられている内側カバー２４１の下に（おそらくはフォームの一部分の下に）配置される。誘導充電器１７２は、電気ハブ１００の内蔵コンセントに電気的に結合される。
【０１４４】
誘導充電器１７２は、横部材フレーム２７０の上側中央部分２７８に、たとえば、スピーカー２１２ａ〜２１４ａの間に、および電気ハブ１００の上に取り付けられることが可能である。充電器１７２は、サラウンドスピーカー２１４ａと同じ上面２３６にあって、スピーカー２１４ａに対して前方に、たとえば、横部材１４ａの前面２３４に配置されているスピーカー２１２ａの後ろに配置されることが可能である。
【０１４５】
図１０〜図１２は、本発明のスピーカーアセンブリを伴う代替の横部材を示している。図１０、図１１、および図１２は、別々に構成されている横部材１４ｂ〜１４ｄを示しており、それらの横部材１４ｂ〜１４ｄにおいては、内部に埋め込まれているスピーカーどうしが別々の位置にある。
【０１４６】
図１０は、代替のスピーカー内蔵横部材１４ｂの切断図を示しており、スピーカー２８０が、ハブ１００から外へ水平に向いている。スピーカー２８０は、横部材１４ａのフレーム２８２（たとえば、木材、合板、ファイバーボード）に結合されており、それによってスピーカーコーンが、フレーム２８２における穴、およびフレーム２８２に隣り合ったフォームクッション材２８４における対応する穴に隣り合っている。
【０１４７】
図１０において示されている誘導充電器１７２が、横部材１４ｂのフレーム２８２の上側パネル２８６上に取り付けられ、たとえば、横部材１４ｂのフレーム２８４の上側パネル２８６の上のクッション材２８８内に（または任意選択で、そこに隣り合って）埋め込まれる。
【０１４８】
図１１〜図１２も、横部材スピーカーのための別々のスピーカー配向を示している。したがって、横部材１４ｃ〜ｄ内のスピーカーを配置および配向するための多くの配置可能性があり得るということが理解されるであろう。
【０１４９】
図１１は、任意の所望の配向および位置において配向および配置されることが可能である横部材１４ｃ内のおそらくは唯一のスピーカー２９０を含むことができる別の代替案を示している。スピーカー２９０は、横部材１４ｃのフレーム内の増幅器２９１に電気的に結合されている。したがって、いくつかの実施形態においては、それぞれの横部材におけるそれぞれのスピーカーは、各自の関連付けられている増幅器をそれぞれの横部材内に取り付けられている。別の実施形態においては、すべての横部材および台座におけるスピーカーシステムのそれぞれのスピーカーのための単一の増幅器２１７が、台座１２ａ内のハウジング２２８の中または上に取り付けられている。それぞれのスピーカーまたはスピーカーチャネルのために専用の増幅器２９１が提供されている場合には、信号は、図１１において示されているように配線を通じて増幅器２９１へ（そして最終的にはスピーカー２９０へ）送信され、または代替として、信号はワイヤレスに送信され、増幅器２９１のための電力は、適切な配線を通じてハブ１００から提供されることが可能である。増幅器２９１は、増幅された信号をスピーカー２９０へ送信する。
【０１５０】
図１１においては、誘導充電器１７２が、横部材１４ｃのフレームの上側部分に取り付けられている。
【０１５１】
図１２のスピーカーは、本明細書において記述されているようにワイヤレス送信を通じてオーディオ受信機２１７および／または送信機２２４から信号を受信するためにワイヤレススピーカーであることが可能である。図１２のスピーカーのための電力は、ハブ１００との接続を通じて提供されることが可能である。
【０１５２】
したがって、多くのスピーカー配置および複数のスピーカーオプションが可能であるということが図９Ａ〜図１２から理解されるであろう。たとえば、左スピーカーおよび右スピーカーのみが提供されるステレオセットアップ、または左スピーカーおよび右スピーカーならびにサブウーファーを含むシステム、たとえば２．１システムが提供されることが可能である。それぞれのチャネル（フロント左、フロント右、サラウンド左、サラウンド右）に関して単一のスピーカーが主に示され記述されているが、任意の所与のチャネルに関して（たとえば、フロント左、フロント右、左サラウンド、右サラウンド、サブウーファー、センターなどに関して）複数のスピーカーが提供されることが可能であるということが理解されるであろう。
【０１５３】
図１３Ａ〜図１４：スピーカーを伴うモジュラーソファー
図１３Ａ〜図１３Ｂは、本明細書における開示を使用してソファーを形成している本発明のモジュラー家具システム３００の斜視図であり、そのソファーは、その横部材１４ａ（肘掛け）内のオーディオスピーカーと、その台座１２ａ内のサブウーファースピーカーとを伴って、サラウンドサウンドスピーカー家具システム３００を形成しており、それらのスピーカーは、かくれ線で示されている。
【０１５４】
フロントスピーカー２１２ａ〜ｂおよびリアの上向きのサラウンドスピーカー２１４ａ〜ｂがそれぞれ、それぞれの横部材１４ａ内に取り付けられている。図１Ｂにおいて示されているように、サラウンドスピーカー２１４ａおよび２１４ｂは、上に向けられているものとして示されており、それによって、そこから導かれるサウンドは、天井の方へ導かれて、反射されて天井から離れることが可能であり、その反射されたサウンドは潜在的に、反射されたサウンドの利点を有しており、それらの利点は、いくつかの実施形態においては、サウンド品質を改善すること（たとえば、広がったサラウンドサウンドを生み出すこと）を含むことができる。
【０１５５】
横部材スピーカー２１２ａ、２１２ｂ、２１４ａ、２１４ｂのそれぞれは、そのスピーカーが配置されるそれぞれの横部材１４ａのカバー２４１、２４３（図９Ａ〜図９Ｃ）の内装布の下に配置される。これらのスピーカーのそれぞれは、所与のスピーカーからの出力が、ソファー３００に座っているユーザに届く前の、横部材１４ａに関連付けられている内装布を通した音波の送信を考慮するように調整されることが可能である。
【０１５６】
スピーカー２１２ａ、２１２ｂ、２１４ａ、および２１４ｂの配置も有利である。なぜなら、それらのスピーカーは、ソファー３００に座っているユーザが典型的に、これらのスピーカーのいずれから発するサウンドも妨げることのないような様式で横部材１４ａ内に配置されているからである。
【０１５７】
図１３Ａ〜図１３Ｂにおいて示されているスピーカーの特定の配置および配向は、フロントスピーカー２１２ａおよび２１２ｂからのサウンドが、座っている視聴者の前に配置されている前壁、テレビジョン、または同様の構造などの前面から意図的に反射される現実的なサラウンドサウンド環境を有利に生み出すことができる。リアサラウンドスピーカー２１４ａおよび２１４ｂからのサウンドは、同様に天井の方へ上に向けられて、ソファー３００に座っている着席している視聴者の方へ下に反射されて戻り、前面および／または天井に反射されたサウンドは潜在的に、反射されたサウンドの利点を有しており、それらの利点は、いくつかの実施形態においては、サウンド品質を改善すること、サラウンドサウンド経験を生み出すことを含むことができる。
【０１５８】
台座部材１２ａおよび／または横部材１４ａ内に埋め込まれているスピーカーは、ユーザがソファー３００のモジュラー家具アセンブリを再構成したいと望むのに応じて切り替えられることまたは取り替えられることが可能である。たとえば、ユーザがソファー３００を再構成して、より多くのもしくはより少ない台座部材および／またはより多くのもしくはより少ない横部材１４ａを含めたいと望んだ場合には、そのユーザは、ソファー３００のその部分を単に分解して、所望に応じてさらなる台座部材１２ａおよび／または横部材１４ａを含めること（またはそれらを取り外すこと）が可能である。
【０１５９】
スピーカーは、そのようなモジュラー家具アセンブリコンポーネント内に配置されるので、これは、構築される家具アセンブリ内のどこにスピーカーが配置されることが可能であるかという点において大きな柔軟性をユーザに提供する。たとえば、参照によって既に組み込まれている出願のうちの任意のものにおいて示されている家具アセンブリのうちの任意のものが修正されて、サブウーファーを含む台座１２ａ、またはスピーカーを含む横部材１４ａ、またはそれらの任意の組合せを伴う台座または横部材のうちの任意のものを取り替えることが可能である。家具システムのそのようなモジュール性はしたがって、家具アセンブリ内のどこにスピーカーが提供され隠されるかという点においてきわめて高い柔軟性をユーザに与える。台座１２ａ内のサブウーファーアセンブリのモジュール性も、所望される場合には、ユーザがそのアセンブリを１つの台座から取り外して別の台座にそれを据え付けることを可能にすることができる。
【０１６０】
たとえば、このシステムのモジュール性は、ユーザが台座部材１２ａおよび横部材１４ａを任意の所望の場所に置くことを可能にする。内部に配置されているスピーカーをまったく含まないいくつかの台座部材１２およびいくつかの横部材１４が提供されて、ユーザが、自分が望む任意の所望のモジュラー家具アセンブリ構成を構成する際にこれらのコンポーネント断片を使用することを可能にすることができる。
【０１６１】
エンドユーザがソファー３００（またはシステム２００またはシステム３５０）をセットアップするためには、いかなるツールも必要とされない。なぜなら、スピーカーは、それぞれの台座部材および横部材内に既に取り付けられており、配線は、複雑なツールの使用を伴わずに接続されることが可能であるからである。したがって、自分の電子アセンブリ部材を伴うソファー３００は、高度に有利であり、効率的であり、有用である。
【０１６２】
図１４は、図１３Ａ〜図１３Ｂのソファー３００と同様である家具システム３５０を示している。ソファー３５０は、常夜灯モーションセンサ（すなわち、動きによってアクティブ化される照明）がその台座１２ａおよび／または横部材１４ａの下側に取り付けられている。
【０１６３】
図１４はしたがって、動きによってアクティブ化される常夜灯を含むソファー３５０の形態のモジュラーオーディオ強化型家具システムの別の実施形態を示している。たとえば、ＬＥＤまたはその他のライトが、台座部材１２ａおよび／または横部材１４ａのフレームの底部表面の上または中に埋め込まれるかまたはその他の形で提供されて、ユーザによって所望される場合にはソファー３５０の外周のすべてまたは一部分を照らすことが可能である。たとえば、そのような照明は、動きによってアクティブ化されて、ユーザがソファーに近づいて任意の所与の距離内に入ったときに照らすことが可能である。
【０１６４】
そのようなライトのための電力は、本明細書において記述されているように、横部材１４ａに関連付けられているハブ１００のうちのいずれかを通じて提供されることが可能である。そのような構成は、常夜灯システムを提供することができ、この常夜灯システムは、この常夜灯システムがなければ暗い部屋においてソファー３５０の周りのエリアを照らして、ユーザが夜にまたはその他の状況で部屋を通るのを補助することができる。
【０１６５】
そのような照明は、ユーザがソファー３５０を使用しているその他の環境において、たとえば、薄暗い部屋においてテレビジョンまたはその他のディスプレイ上で映画またはその他の番組を見ている間に所望される場合もある。
【０１６６】
モジュラー家具アセンブリ３５０は、さまざまな異なる状況において高度に有用であり、内装カウチ、モジュラーシート、ユニット式家具、およびＳａｃｔｉｏｎａｌｓとして知られている家具内になど、レジャーシート内に埋め込まれている電子デバイスを含む。動きによってアクティブ化される常夜灯システムに加えた家具アセンブリ内のオーディオコンポーネントを用いて例示されているが、オーディオコンポーネントを伴わない家具システムが、動きによってアクティブ化される常夜灯システムを含むことも可能であるということが理解されるであろう。
【０１６７】
図１４は、台座１２ａのうちの少なくとも１つに埋め込まれているサブウーファースピーカー２１０ａとともにフロント左、フロント右、左サラウンド、および右サラウンドスピーカーを含む４．１または４．２スピーカーシステムとみなされることが可能である実施形態を示している。１つのサブウーファースピーカー２１０ａ（したがって、１つの台座１２ａ、および１つの普通の台座１２）が含まれている場合には、４．１システムという結果になる。両方の台座が、サブウーファースピーカー２１０ａを含んでいる台座１２ａである場合には、（たとえば特に、サブウーファーどうしが、独立したサウンドを生み出す場合には）４．２システムという結果になることが可能である。それらの２つのサブウーファースピーカーは、同じまたは異なるサウンド（たとえば、１または２チャネル）を生み出すことができる。
【０１６８】
図１４においては専用のセンターチャネルスピーカーは示されていないが、フロントスピーカー２１２ａおよび２１２ｂへ送信されるサウンド信号を通じて仮想センタースピーカーが提供されることが可能である（すなわち、スピーカー２１２ａおよび２１２ｂのステレオによって仮想センターチャネルが模倣されることが可能である）ということが理解されるであろう。別の実施形態においては、専用のセンターチャネルスピーカーが、テレビジョンの下もしくは上に、有孔スクリーンの後ろに配置されること、またはテレビジョンもしくはその他のディスプレイデバイス内に組み込まれることが可能である。センターリアチャネルが、所望に応じて、右サラウンドスピーカー２１４ａおよび左サラウンドスピーカー２１４ｂを使用して同様に模倣されて、または後壁上に取り付けられて、５．１システムまたは６．１システムを作成することが可能である。７．１システムまたはその他の構成（たとえば、ドルビーアトモス）が、同様に提供されることが可能である。
【０１６９】
示されているように、ソファー３５０は、内装カウチ、モジュラーシートなどを含むレジャーシート内に埋め込まれているスピーカーまたはその他のオーディオコンポーネントを含む。ソファー３５０は、優れたステレオまたはサラウンド音質のサウンドを提供し、ハイファイサラウンドサウンド経験を提供する。
【０１７０】
スピーカーは、台座１２ａおよび／または横部材１４ａの木製枠組み部分内でユーザおよび顧客の視界から隠され、木製枠組みを包んでいるカバーの下に隠されることが可能である。
【０１７１】
配線図
図１５は、図１３Ａ〜図１３Ｂまたは図１４のソファーの形態の家具システム３００または３５０とともに使用されることになる配線図の例を示している。図１５の配線図の特定の要素を識別する表が、下に示されている。
【０１７２】
【表１−１】
2019500985.tif 000003
【０１７３】
【表１−２】
2019500985.tif 000004
【０１７４】
図１５は、図１Ａ〜図１Ｂ、図１３Ａ〜図１３Ｂ、および図１４において示されているものなど、内部に配置されているサラウンドサウンドシステムを含むモジュラー家具アセンブリに関する例示的な配線図を示している。図１５において示されているように、配線がモジュラー家具アセンブリ内に提供されて、スピーカー２１２ａ、２１２ｂ、２１４ａ、および２１４ｂのそれぞれに信号および／または電力を提供することが可能である。
【０１７５】
示されている構成においては、増幅器２１７が台座部材１２ａ内に配置されている。増幅器２１７は、マルチチャネル増幅器、および／またはそのような増幅器を含むオーディオ受信機であることが可能であり、台座部材１２ａ内に、たとえばサブウーファー２１０ａに隣り合って配置されている、たとえば、ハウジング２２８の上または中に取り付けられているものとして示されている。
【０１７６】
図１５においてさらに示されているように、配線２１８ａおよび２１８ｂは、増幅器２１７からのオーディオ信号をフロント右スピーカー２１２ａおよびフロント左スピーカー２１２ｂに提供することができる。示されている構成においては、配線２１８ａおよび２１８ｂを通じて送信される信号は、示されているように既に増幅されている。
【０１７７】
代替構成においては、信号が、増幅されていない構成でオーディオ受信機２１７からフロント右スピーカー２１２ａおよびフロント左スピーカー２１２ｂへ送信されることが可能であり、増幅は、スピーカー２１２ａまたは２１２ｂにおいて生じる。増幅されていない信号は、所望に応じて、有線接続またはワイヤレス接続を通じて送信されることが可能である。
【０１７８】
図１５はさらに、配線２２０ａおよび２２０ｂが増幅器２１７から右サラウンドスピーカー２１４ａへ延びていること、ならびに配線２２０ｂが増幅器２１７から左サラウンドスピーカー２１４ｂへ延びていることを示している。増幅器２１７のための電力は、たとえば図１５において示されている電気接続を通じて提供される。たとえば、プラグ１１０（図５）からの電力が、ハブ１００に接続することができ、増幅器２１７が次いで、そこへ電力を提供する、ハブ１００に関連付けられているコンセントへとプラグを差し込まれる。
【０１７９】
一実施形態においては、増幅器２１７は、少なくともサブウーファースピーカーを増幅する。別の実施形態においては、増幅器２１７は、サブウーファースピーカー、およびその他のスピーカー、たとえば横部材スピーカーを増幅する。別の実施形態においては、サブウーファーは、自分自身の内蔵増幅器を含むことができ、増幅器２１７は、家具アセンブリ内のその他のスピーカー（たとえば、スピーカー２１２ａ、２１２ｂ、２１４ａ、２１４ｂ）を増幅することができる。さらに別の実施形態においては、増幅器２１７は、サブウーファースピーカーを増幅し、横部材スピーカーのうちのそれぞれは、そのスピーカーに関連付けられている各自の増幅器を有する。
【０１８０】
図１５は、横部材１４／１４ａのうちのいずれかの中に存在しているハブ１００および／またはさらなるハブによってさらなるコンポーネントが給電されることもどのようにして可能であるかを示している。たとえば、図１５は、右横部材１４ａ内のハブからＱｉ（誘導）充電器１７２へ電力が提供されていることを示している。
【０１８１】
図１５はさらに、左横部材１４ａ内の第２のハブから別のＱｉ充電器への、ならびにフロアランプ１５０への電力を示している。さらなるコンポーネントが、そのようなハブのうちのいずれかへとプラグを差し込まれること、またはそのようなハブのうちのいずれかによってその他の形で給電されることが可能である。たとえば、図１５〜図１５Ａは、つながれているリモコン２５０を示しており、このつながれているリモコン２５０は、ボリュームに関するコントロール（２５２、２５６）、ミュートする能力（２５４）、特定の周波数を調節する能力、たとえば、低音アップ（２５８）もしくは低音ダウン（２６２）、または低音ミュート（２６０）を提供するために使用されることが可能である。
【０１８２】
図１５において示されているように、台座部材１２のうちの１つまたは複数は、リクライニングシートをさらに含むことができ、それによって、そのようなリクライニングのための電力が、示されているハブのうちのいずれかによって提供されることが可能である。
【０１８３】
図１５はさらに、テレビジョン２２２またはその他のディスプレイを示している。そのようなディスプレイは、ソファー３００、３５０の前の前壁上に配置されるかまたは取り付けられて、そのソファーに座っているユーザが、ソファー３００または３５０に関連付けられているスピーカーを通じて提供されるサラウンドサウンドを聴きながらテレビジョンを見ることを可能にする。
【０１８４】
一実施形態においては、ワイヤレス送信機を通じてソファー３００または３５０のスピーカーシステムへオーディオに関する信号を送信するワイヤレスコントローラなどの送信機２２４がＴＶ２２２において提供されている。
【０１８５】
たとえば、図１５においてさらに示されているように、たとえば、テレビジョン２２２に関連付けられて示されているワイヤレス送信機２２４を通じてソファー３００または３５０の増幅器または受信機２１７（またはワイヤレススピーカー２１２ａ、２１２ｂ、２１４ａ、２１４ｂそのもの）に信号を提供することが可能である。そのようなワイヤレス送信機２２４は、２２５において壁へとプラグを差し込まれて、そこから給電される。ワイヤレス送信機２２４からの信号は、ソファー３００または３５０内の増幅器および／またはオーディオ受信機２１７へワイヤレスに送信される。そのようなオーディオ信号および／またはコントロール信号のワイヤレス送信は、ブルートゥース、ＷｉＦｉ、ＩＲ、ワイヤレススピーカーアンドオーディオテクノロジー（ＷＩＳＡ）、またはその他のメカニズムを通じることが可能である。受信機２１７は、ワイヤレスコントローラ／送信機２２４、またはスマートフォンもしくはタブレットアプリなどからの通信を受信するために使用されることが可能である。
【０１８６】
一実施形態においては、送信機コンポーネント２２４と、増幅器またはオーディオ受信機２１７との間に有線接続が提供されることが可能であるが、示されているようなワイヤレス送信が有利である場合がある。なぜなら、送信機２２４と、ソファー３００または３５０内に配置されている増幅器またはオーディオ受信機２１７とのロケーションの間においてワイヤまたはコードがこのように必要とされないからである。
【０１８７】
ハブ１００は、ソファー３００または３５０の電子家具アセンブリシステム、ならびにソファー３００または３５０に関連付けられているスピーカー、コンポーネント、および電子デバイスのうちのすべてに電力を提供する。
【０１８８】
ソファー３００または３５０の構成の結果として、さまざまな横部材、台座、ならびにそれらの関連付けられているスピーカーおよび電子コンポーネントが取り外されてアップグレードされることが可能である。なぜなら、その他のスピーカーシステムまたは電子コンポーネントが利用可能であるからである。
【０１８９】
一実施形態においては、本発明の家具システムはまた、ソファー３００または３５０のスピーカーへサウンドを通信するために、テレビジョンに電気的に結合されているオーディオ受信機／サウンドバーおよびブリッジを含む。
【０１９０】
台座および横部材内に取り付けられているスピーカーは、ユーザ／顧客からの不可視性を提供することに加えて、高音質サウンドのための機会も提供する。台座および横部材はそれぞれ、大きなエンクロージャー容積を提供し、その中でスピーカーサウンドが反響して高音質サウンドを提供することができ、その一方でソファーそのものの設置面積以外にさらなる設置面積を使用することはない。
【０１９１】
図１５において示されているように、台座１２ａは、サブウーファーエンクロージャーハウジング２２８内に支持梁をさらに含むことができ、それらの支持梁は、図１５においては参照番号２７０で示されている。支持梁は、エンクロージャーハウジング２２８の上側部分と下側部分との間に取り付けられて、空洞２２６内の支持を提供して、スピーカー２１０ａに対するいかなるダメージも防止する。一実施形態においては、受信機または増幅器２１７が、台座１２ａのサブウーファーハウジング２２８の上または中に取り付けられており、それは、電源入力および増幅信号出力を有する。
【０１９２】
図１５Ａは、図１５の配線図の別の例であり、その配線図において識別されている特定の要素に関する文字記述を伴っている。
【０１９３】
図１６：スピーカーおよびその他のコンポーネントをコントロールするためのコントローラ
図１６は、本発明のコントローラ２４０の斜視図である。さまざまなコントロールメカニズムおよびコンポーネントのうちの任意のものが、本明細書において記述されているサラウンドサウンドシステムとともに提供されることが可能である。図１６は、例示的なコントロールコンポーネント２４０を示している。そのようなコンポーネントは、ユーザがサウンドまたはその他の環境のさまざまな側面をコントロールするために使用することができる１つまたは複数のノブ、ダイヤル、またはその他のコントロールを含むことができる。
【０１９４】
たとえば、ユーザは、全体のサウンドボリューム、スピーカーのうちの１つもしくは複数のサウンドボリューム、スピーカーのうちの任意のものに関連付けられている１つもしくは複数の周波数帯域の周波数強化（もしくは減衰）、またはユーザが操作したいと望む場合があるその他のコントロールをコントロールすることができる。そのようなコントロールコンポーネント２４０は、ソファー３００または３５０から離れているロケーション、たとえば、隣り合ったテレビジョン２２２またはその他の場所から、電気有線接続を通じてまたはワイヤレスに信号または命令を送信することができる。
【０１９５】
ユーザは、そのようなコントロールコンポーネント２４０を取り出して所望の任意の場所へ移動できることが可能である。たとえば、彼らはそれを取り出して、それをカウチへ持っていくことができ、そこにそれが残されて、所望される場合には、そのポイントにおけるコントロールを可能にすることができる。
【０１９６】
その他の実施形態においては、任意の所望のインターフェースにおいて提供されることが可能であるセルラー電話アプリ（スマートフォンアプリ）またはその他のソフトウェアアプリケーションを通じて、所望のパラメータのうちの任意のもののコントロールが提供されることが可能である。たとえば、ユーザにとってアクセス可能なスマートフォンポータブルデバイス、タブレット、またはその他のデバイスが、受信機２１７またはその他のコンポーネントへコントロール信号をワイヤレスに送信し、次いで、ユーザによって指示されるのに従ってパラメータに対する任意の所望の変更を実施することができる。受信機２１７は、そのようなアプリと通信すること、送信機２２２と通信することなどを行うために、ＷｉＦｉ、ブルートゥース、またはその他のワイヤレスシステムを通じて受信および／または送信できることが可能である。
【０１９７】
いくつかの実施形態においては、台座部材２１２ａ内に配置されることが可能であるオーディオ受信機および／または増幅器２１７は、任意の所望のパラメータをコントロールするためのいくつかのノブおよび／またはボタンをその上に含むことができる。たとえば、スピーカーのうちのそれぞれのためのボリュームコントロールが、その上に提供されることが可能である。
【０１９８】
そのようなコントロールは、ユーザがサラウンドサウンドスピーカーシステム内の別々のスピーカーのレベルを操作することを可能にすることができる。たとえば、ユーザが所与のサラウンドサウンドスピーカーもしくは所与のフロントスピーカー、または所与のサブウーファーのスピーカーレベルどうしを較正したいと望む場合には、したがって、任意の所与の個々のスピーカーに関連付けられているサウンドボリュームを増大または減少させるためのコントロールが提供されて、ユーザがそのような較正または変更を行うことを可能にすることができる。
【０１９９】
たとえば、ユーザによって構築される家具構成に応じて、ユーザが、右フロントスピーカー、左フロントスピーカー、右サラウンドスピーカー、または左サラウンドスピーカーを強めたいまたは減衰させたいと望むことが可能である。なぜなら、モジュラー家具アセンブリを用いれば、多くの家具アセンブリの可能性が可能であるからである。
【０２００】
たとえば、サラウンドスピーカーまたはフロントスピーカーが、別のサラウンドスピーカーまたは別のフロントスピーカーと比較して、所与の座席位置からさらに離れていると言える場合には、ユーザは、１つまたは複数のそのようなスピーカーからのボリューム出力を強めるかまたは減少させて、フロントのペア、サラウンドスピーカーのペアからの、または所与の座席ロケーションにおけるすべてのスピーカーにわたるサウンドボリュームを均一にしたいまたは較正したいと望む可能性がある。本明細書において記述されているコントロールは、ユーザがそのようなことを行うことを可能にすることができる。
【０２０１】
本発明のスピーカーおよびその他の電子コンポーネントは、ソファー内に、たとえば台座および／もしくは横部材内に埋め込まれているコントロールメカニズムなど、さまざまな異なるコントロールメカニズムを通じて、または電気コードによって台座および／もしくは横部材に接続されているコントローラを通じて、またはパーソナルセルラー電話（たとえば、スマートフォンもしくはタブレット）の使用を通じてなど、リモートもしくはワイヤレス設定を通じてコントロールされることが可能である。スピーカーおよびその他の電子部品はしたがって、ワイヤレスに、たとえば、ブルートゥース、ＷｉＦｉを通じて、インターネット接続またはその他のワイヤレス接続手段を通じてコントロールされることが可能である。本発明の一実施形態においては、ＷＩＳＡを通じて遅延がない。たとえば、サウンドとビデオとが相関付けられて、生み出されたサウンドとイメージとの間においてリップシンクの問題がないことを確実にすることが可能である（たとえば、サウンドおよび／またはビデオが意図的に遅延されて、適正な同期化を確実にすることが可能である）。
【０２０２】
一実施形態においては、ボリュームノブと、ワイヤレス通信と、ステレオ、４．１、５．１などを選択および採用する能力とを、ジャック内の補助ポートを含むさまざまな入力能力とともに有するコントローラ２４０などの中央送信機が採用される。
【０２０３】
スピーカーまたはその他のオーディオコンポーネントまたは電子コンポーネントのためのリモートコントロールが、家具システム３００または３５０内に、たとえば横部材１４ａまたは台座１２ａ内に埋め込まれることが可能である。コントロールの例は、ワイヤレスコントロールおよびつながれているコントロールを含む。コントロールされることが可能であるパラメータは、２．０システム、２．１システム、４．１システムのためのボリューム、５．１システムなどのためのボリューム、ミュート、ボリュームレベル、および強度コントロールを含む。
【０２０４】
言及されているように、一実施形態においては、ソファー３００もしくは３５０内のスピーカーおよびその他の電子コンポーネントなどの電子デバイス、または本発明におけるその他のデバイスをコントロールするためのソフトウェアアプリケーションが採用される。そのソフトウェアアプリケーションは、スピーカーおよびその他の電子コンポーネント（たとえば、テレビジョン、ランプなど）の中でシステムのボリューム、出力、ミュート、バランス、低音／高音、またはその他の機能をコントロールするように設計されることが可能である。そのソフトウェアアプリケーションは、ソファー内のライト、たとえば、区域照明またはＬＥＤまたはその他の照明機能、たとえば、照明電力オフおよびオンのために使用されることも可能であり、サウンドパフォーマンスの追跡把握、リクライニング設定、温度設定、調光／制御照明器具、テレビジョンチャネル、およびその他のユーザの好みを提供することができる。
【０２０５】
別の実施形態においては、スピーカーおよびその他の電気コンポーネントをコントロールするためのソフトウェアアプリケーションが使用されることが可能である。そのようなソフトウェアアプリケーションは、さまざまな異なる機能および設定を有することができる。一実施形態においては、そのソフトウェアアプリケーションは、スピーカーボリューム、ＴＶボリューム、スピーカーに関する出力、ＴＶに関する出力、ミュート、バランス、低音／高音、ライトのオン／オフ、サウンドパフォーマンスの追跡把握、リクライニング設定、温度、ランプおよびその他の照明の調光／制御、ＴＶチャネルなどをコントロールする。
【０２０６】
図１７：スピーカーを伴う送信機
図１７は、本発明の送信機２２４の別の例を示しており、送信機２２４は、内部に組み込まれているスピーカー、たとえばセンターチャネルスピーカーを含む。送信機２２４は、図１６のコントローラ２４０と同様の機能を果たすことができ、テレビジョンまたはその他のディスプレイ２２２の下または上または後ろに取り付けられることが可能である。一実施形態においては、送信機２２４の送信機アセンブリを収納しているのと同じハウジング２２４ｂ内にセンターチャネルスピーカー２２４ａを組み込むことが、スピーカーシステム全体を簡略化する。したがって、送信機２２４の一実施形態においては、センターチャネルは、コントローラメカニズムと同じハウジング２２４ｂ内にある。
【０２０７】
別の実施形態においては、ビルトインチャネルスピーカーを含む送信機２２４が、壁に取り付けられるように構成されることが可能である。たとえば、それは、そのような壁への取り付けのための取り付け構造を含むことができる。
【０２０８】
本発明の一実施形態においては、家具アセンブリは、スピーカーおよびその他の電気コンポーネントを内部に埋め込まれているベッドとして使用されることが可能である。たとえば、一実施形態においては、台座１２ａが、スピーカーを内部に一体的に取り付けられているベッドとして使用されることが可能である。台座１２ａは、ベッドとしての役割を果たすのに十分な大きさにサイズ設定されることが可能である。たとえば、台座１２ａは、独立型のベッドであることが可能であり、および／またはボックススプリングとしての役割を果たすことができ、その上にクッション１８などのクッションが取り付けられることが可能であり、台座１２ａおよびクッション１８の組合せが、ベッドとしての役割を果たし、台座１２ａおよびクッション１８は、ベッドとしての役割を果たすのに十分な大きさであるように構成される。内部に１つまたは複数のスピーカーを有する本発明のベッドはしたがって、台座１２ａ、ならびに／または台座１２ａおよびクッション１８から構成されることが可能である。別の実施形態においては、ベッド内に複数のスピーカーが置かれることが可能である。本発明はしたがって、内部に埋め込まれているスピーカー、再充電器、電力システム、およびその他の電気コンポーネントなどの電子コンポーネントを有するさまざまな異なるタイプの家具に関する。
【０２０９】
本発明は、その趣旨または本質的な特徴から逸脱することなく、その他の特定の形態で具体化されることが可能である。記述されている実施形態は、すべての点において例示的なものにすぎず、限定的なものではないとみなされるべきである。本発明の範囲はしたがって、前述の説明によってではなく、添付の特許請求の範囲によって示されている。特許請求の範囲の均等物の意味および範疇内に収まるすべての変更は、それらの範囲内に包含されることになる。
【図１Ａ】
2019500985.tif 000005
【図１Ｂ】
2019500985.tif 000006
【図２】
2019500985.tif 000007
【図３】
2019500985.tif 000008
【図４Ａ】
2019500985.tif 000009
【図４Ｂ】
2019500985.tif 000010
【図５】
2019500985.tif 000011
【図６】
2019500985.tif 000012
【図７】
2019500985.tif 000013
【図８Ａ】
2019500985.tif 000014
【図８Ｂ】
2019500985.tif 000015
【図８Ｃ】
2019500985.tif 000016
【図８Ｄ】
2019500985.tif 000017
【図８Ｅ】
2019500985.tif 000018
【図８Ｆ】
2019500985.tif 000019
【図８Ｇ】
2019500985.tif 000020
【図８Ｈ】
2019500985.tif 000021
【図９Ａ】
2019500985.tif 000022
【図９Ｂ】
2019500985.tif 000023
【図９Ｃ】
2019500985.tif 000024
【図９Ｄ】
2019500985.tif 000025
【図１０】
2019500985.tif 000026
【図１１】
2019500985.tif 000027
【図１２】
2019500985.tif 000028
【図１３Ａ】
2019500985.tif 000029
【図１３Ｂ】
2019500985.tif 000030
【図１４】
2019500985.tif 000031
【図１５】
2019500985.tif 000032
【図１５Ａ】
2019500985.tif 000033
【図１６】
2019500985.tif 000034
【図１７】
2019500985.tif 000035
【国際調査報告】
2019500985.tif 000036
2019500985.tif 000037
2019500985.tif 000038
2019500985.tif 000039